(57)【要約】本発明は、媒体アクセス制御エンティティを具備する移動端末から移動通信システムの無線アクセスネットワークにデータを送信する方法、及び移動端末に関する。スケジューリングモードに応じたデータ送信を拡張するために、本発明は、送信データをスケジューリングするかあるいは異なる無線ベアラの異なる送信データをトランスポートチャネル上に多重化する移動端末により使用されるスケジューリングモードに応じて、個々の優先度を提供する。更に、本発明は、関連付けられた無線ベアラのスケジューリングモードに応じて、各論理チャネルのフラグを予測して設定することにより、スケジューリングモードに応じたデータ送信のスケジューリングを可能にする方法、及び移動端末に関する。
2007533276.tif 000002
【特許請求の範囲】
【請求項１】
媒体アクセス制御エンティティを具備する移動端末から移動通信システムの無線アクセスネットワークへデータを送信する方法であって、
トランスポートチャネルを介して前記データを送信するために前記移動端末と前記無線アクセスネットワークとの間に無線ベアラを確立する工程と、
前記媒体アクセス制御エンティティにより使用可能な複数の異なるスケジューリングモードのそれぞれに前記無線ベアラの優先度を割り当てる工程と、
前記媒体アクセス制御エンティティにより使用される前記それぞれのスケジューリングモードに割り当てられた前記無線ベアラの前記優先度に基づき、データを送信する工程と、を含む方法。
【請求項２】
前記トランスポートチャネルを介して前記データを送信するために使用されるトランスポートフォーマットを含むトランスポートフォーマットコンビネーションを、前記それぞれのスケジューリングモードに割り当てられた前記優先度に基づき、前記媒体アクセス制御エンティティにより選択する工程を更に含み、
前記送信する工程は、前記トランスポートフォーマットを使用することにより前記データを送信する、請求項１記載の方法。
【請求項３】
前記無線ベアラと他の無線ベアラとからのデータは前記トランスポートチャネルを介して送信され、
前記それぞれのスケジューリングモードに割り当てられた前記優先度に基づいて、前記トランスポートチャネルに前記データを多重化する工程を更に含む、請求項１記載の方法。
【請求項４】
前記トランスポートチャネルを介して前記データを送信するために使用されるトランスポートフォーマットを含むトランスポートフォーマットコンビネーションを、前記媒体アクセス制御エンティティにより選択する工程を更に含み、
前記送信する工程は、前記トランスポートフォーマットを使用することにより前記多重化データを送信する、請求項３記載の方法。
【請求項５】
前記優先度は、前記無線ベアラの前記確立中に割り当てられる、請求項１から請求項４のいずれかに記載の方法。
【請求項６】
前記無線ベアラは、無線リンク制御エンティティと、前記無線リンク制御エンティティから前記媒体アクセス制御エンティティに前記データを供給するための少なくとも１つの論理チャネルとを含む、請求項１から請求項５のいずれかに記載の方法。
【請求項７】
前記複数のスケジューリングモードのそれぞれに対する論理チャネルの前記優先度を指示する複数の情報要素を含む前記無線ベアラ制御メッセージを、前記無線アクセスネットワークから受信する工程を更に含む、請求項６記載の方法。
【請求項８】
前記複数の情報要素は、情報要素「ＲＢマッピング情報」内に含まれる、請求項７記載の方法。
【請求項９】
前記無線ベアラ制御メッセージで受信される前記複数のスケジューリングモードのそれぞれに対し前記無線ベアラの論理チャネルの前記優先度を指示するパラメータのセットに従って、前記移動端末の無線リソース制御エンティティにより前記無線ベアラを確立する工程を更に含む、請求項７又は請求項８記載の方法。
【請求項１０】
前記無線ベアラ制御メッセージは、無線ベアラセットアップメッセージ又は無線ベアラ再設定メッセージである、請求項７から請求項９のいずれかに記載の方法。
【請求項１１】
前記無線リンク制御エンティティは、複数の論理チャネルにより設定され、前記論理チャネルのそれぞれは、前記送信データを搬送するデータＰＤＵを供給するために使用されるとともに前記複数のスケジューリングモードの１つに関連付けられる、請求項６記載の方法。
【請求項１２】
前記データを送信するために使用される前記スケジューリングモードに関連付けられた論理チャネルを介して、前記データを前記無線リンク制御エンティティから前記媒体アクセス制御エンティティに供給する工程を更に含む、請求項１１記載の方法。
【請求項１３】
前記データをスケジューリングするためのスケジューリングモードを選択する工程と、
前記選択されたスケジューリングモードに関連付けられる前記論理チャネルを前記媒体アクセス制御エンティティにより決定する工程と、
前記無線リンク制御エンティティから前記データを前記決定された論理チャネルを介して供給するよう、前記媒体アクセス制御エンティティにより要求する工程と、
を更に含む、請求項１１又は請求項１２記載の方法。
【請求項１４】
前記要求された論理チャネルを介して、前記無線リンク制御エンティティから前記媒体アクセス制御エンティティに前記データを供給する工程を更に含む、請求項１３記載の方法。
【請求項１５】
前記スケジューリングモードは、前記移動端末により選択されるか、あるいは選択は前記無線アクセスネットワークからシグナリングされる、請求項１２から請求項１４のいずれかに記載の方法。
【請求項１６】
前記複数のスケジューリングモードは、レート制御スケジューリングモードと、タイムアンドレート制御スケジューリングモードとを含む、請求項１から請求項１５のいずれかに記載の方法。
【請求項１７】
媒体アクセス制御エンティティを具備する移動端末から移動通信システムの無線アクセスネットワークへデータを送信する方法であって、
トランスポートチャネルを介して前記データを送信するために前記移動端末と前記無線アクセスネットワークとの間に無線ベアラを確立する工程と、
前記無線ベアラに優先度を割り当てる工程と、
前記無線ベアラに割り当てられた前記優先度と、前記無線ベアラの前記媒体アクセス制御エンティティにより使用される複数のスケジューリングモードの１つを指示する前記媒体アクセス制御エンティティにおいて設定されたフラグとに基づき、前記データを送信する工程と、を含む方法。
【請求項１８】
前記トランスポートチャネルを介して前記データを送信するために使用されるトランスポートフォーマットを含むトランスポートフォーマットコンビネーションを、前記割り当てられた優先度と前記フラグとに基づいて、前記媒体アクセス制御エンティティにより選択する工程を更に含む、請求項１７記載の方法。
【請求項１９】
前記無線ベアラと他の無線ベアラとからのデータは前記トランスポートチャネルを介して送信され、
前記それぞれの無線ベアラに割り当てられた前記優先度と前記フラグとに基づいて、前記トランスポートチャネルに前記データを多重化する工程を更に含む、請求項１７記載の方法。
【請求項２０】
前記トランスポートチャネルを介して前記データを送信するために使用されるトランスポートフォーマットを含むトランスポートフォーマットコンビネーションを、前記媒体アクセス制御エンティティにより選択する工程を更に含み、
前記送信する工程は、前記トランスポートフォーマットを使用することにより前記多重化データを送信する、請求項１９記載の方法。
【請求項２１】
前記フラグが設定された場合、前記割り当てられた優先度より高い優先度が使用され、前記フラグが設定されていない場合、前記割り当てられた優先度が使用される、請求項１７から請求項２０のいずれかに記載の方法。
【請求項２２】
前記フラグは、レート制御スケジューリングモード又はタイムアンドレート制御スケジューリングモードが使用されるかどうかを指示する、請求項１７から請求項２１のいずれかに記載の方法。
【請求項２３】
前記レート制御スケジューリングモードには、前記タイムアンドレート制御スケジューリングモードより低い優先度が割り当てられる、請求項１５から請求項２２のいずれかに記載の方法。
【請求項２４】
前記移動通信システムはＵＭＴＳシステムであり、前記データはＥ−ＤＣＨを介して送信される、請求項１から請求項２３のいずれかに記載の方法。
【請求項２５】
無線リンクを介して移動通信システムの無線アクセスネットワークにデータを送信する移動端末であって、
媒体アクセス制御エンティティと、
トランスポートチャネルを介して前記データを送信するために前記移動端末と前記無線アクセスネットワークとの間に無線ベアラを確立し、前記媒体アクセス制御エンティティにより使用可能な複数の異なるスケジューリングモードのそれぞれに前記無線ベアラの優先度を割り当てるように適合された処理手段と、
前記無線ベアラの前記媒体アクセス制御エンティティにより使用される前記それぞれのスケジューリングモードに割り当てられた前記優先度に基づき、前記データを送信する送信器と、を含む移動端末。
【請求項２６】
請求項１から請求項１６、請求項２３又は請求項２４のいずれかに記載の方法の工程を実行するように適合された手段を更に含む、請求項２５記載の移動端末。
【請求項２７】
無線リンクを介して移動通信システムの無線アクセスネットワークにデータを送信する移動端末であって、
媒体アクセス制御エンティティと、
トランスポートチャネルを介して前記データを送信するために前記移動端末と前記無線アクセスネットワークとの間に無線ベアラを確立し、前記無線ベアラに優先度を割り当てる処理手段と、
前記無線ベアラに割り当てられた前記優先度と、前記無線ベアラの前記媒体アクセス制御エンティティにより使用される複数のスケジューリングモードの１つを指示する前記媒体アクセス制御エンティティにおいて設定されたフラグとに基づき前記データを送信する送信器と、を含む移動端末。
【請求項２８】
請求項１８から請求項２４のいずれかに記載の方法の工程を実行するように適合された手段を更に含む、請求項２７記載の移動端末。
【請求項２９】
プロセッサにより実行されると、前記プロセッサに、無線リンクを介してデータを移動端末から移動通信システムの無線アクセスネットワークに送信させる命令を、格納するためのコンピュータ読取り可能な媒体であって、
前記データの前記送信は、
トランスポートチャネルを介して前記データを送信するために前記移動端末と前記無線アクセスネットワークとの間に無線ベアラを確立し、
前記移動端末に含まれる媒体アクセス制御エンティティにより使用可能な複数の異なるスケジューリングモードのそれぞれに前記無線ベアラの優先度を割り当て、
前記無線ベアラの前記媒体アクセス制御エンティティにより使用される前記それぞれのスケジューリングモードに割り当てられた前記優先度に基づき前記データを送信することにより行われる、コンピュータ読取り可能な媒体。
【請求項３０】
前記プロセッサにより実行されると、前記プロセッサに、請求項１から請求項１６、請求項２３又は請求項２４のいずれかに記載の方法の工程を実行させる命令を更に格納する、請求項２９記載のコンピュータ読取り可能な媒体。
【請求項３１】
プロセッサにより実行されると、前記プロセッサに、無線リンクを介してデータを移動端末から移動通信システムの無線アクセスネットワークに送信させる命令を、格納するためのコンピュータ読取り可能な媒体であって、
前記データの前記送信は、
トランスポートチャネルを介して前記データを送信するために前記移動端末と前記無線アクセスネットワークとの間に無線ベアラを確立し、
前記トランスポートチャネルのトランスポートフォーマットが選択される優先度を指示する優先度を前記無線ベアラに割り当て、
前記無線ベアラに割り当てられた前記優先度と、前記無線ベアラの前記媒体アクセス制御エンティティにより使用される複数のスケジューリングモードの１つを指示する前記媒体アクセス制御エンティティにおいて設定されたフラグとに基づき、前記データを送信することにより行われる、コンピュータ読取り可能な媒体。
【請求項３２】
前記プロセッサにより実行されると、前記プロセッサに、請求項１８から請求項２４のいずれかに記載の方法の工程を実行させる命令を更に格納する、請求項３１記載のコンピュータ読取り可能な媒体。
【請求項３３】
移動通信システムにおける移動端末により実行される方法であって、
トランスポートチャネルを介してデータを送信するために前記移動端末と前記無線アクセスネットワークとの間に無線ベアラを確立する工程と、
前記少なくとも１つの確立された無線ベアラのそれぞれを、フラグをそれぞれ有する少なくとも１つの論理チャネルに関連付ける工程と、
各論理チャネルに優先度を割り当てる工程と、
前記関連付けられた無線ベアラの前記スケジューリングモードに応じて、前記少なくとも１つの論理チャネルの前記少なくとも１つのフラグを設定する工程と、を含む方法。
【請求項３４】
前記少なくとも１つの無線ベアラに関連付けられた前記少なくとも１つの論理チャネルの前記フラグが設定されたかどうかを判定する工程と、
前記フラグの前記決定結果と前記論理チャネルに割り当てられた前記優先度とに基づいて、前記少なくとも１つの無線ベアラに関連付けられた前記少なくとも１つの論理チャネルのそれぞれからのデータの送信に使用されるトランスポートフォーマットコンビネーションを選択する工程と、
前記フラグと前記少なくとも１つの論理チャネルに割り当てられた前記優先度とに基づいて、前記少なくとも１つの論理チャネルからの前記データを前記トランスポートチャネルに多重化する工程と、
前記選択されたトランスポートフォーマットコンビネーションを使用することにより、前記トランスポートチャネルを介して前記多重化データを送信する工程と、を更に含む、請求項３３記載の方法。
【請求項３５】
前記移動端末により使用される前記少なくとも１つの無線ベアラの前記スケジューリングモードを指示する、前記無線アクセスネットワークからのシグナリング情報を受信する工程を更に含み、
前記関連付けられた無線ベアラの前記スケジューリングモードに応じて前記少なくとも１つの論理チャネルの前記少なくとも１つのフラグを設定する工程において、前記少なくとも１つのフラグは前記シグナリング情報に従って設定される、請求項３３又は請求項３４記載の方法。
【請求項３６】
それぞれの論理チャネルに割り当てられた前記フラグは、トランスポートフォーマットコンビネーションの前記選択中に、前記それぞれの論理チャネル上で前記データ送信に優先度を付けるべきかどうかを指示する、請求項３３から請求項３５のいずれかに記載の方法。
【請求項３７】
前記トランスポートチャネルは、拡張アップリンク個別チャネルＥ−ＤＣＨである、請求項３３から請求項３６のいずれかに記載の方法。
【請求項３８】
移動通信システムにおいて使用される移動端末であって、
トランスポートチャネルを介してデータを送信するために前記移動端末と無線アクセスネットワークとの間に少なくとも１つの無線ベアラを確立する無線ベアラ確立手段と、
前記少なくとも１つの確立された無線ベアラを、フラグをそれぞれ有する少なくとも１つの論理チャネルに関連付ける関連付け手段と、
各論理チャネルに優先度を割り当てる割り当て手段と、
前記関連付けられた無線ベアラの前記スケジューリングモードに応じて、前記少なくとも１つの論理チャネルの前記少なくとも１つのフラグを設定する設定手段と、を含む移動端末。
【請求項３９】
前記移動端末は、請求項３３から請求項３７のいずれかに記載の方法を実行するように適合された手段を更に含む、請求項３８記載の移動端末。
【請求項４０】
移動端末のプロセッサにより実行されると、前記移動端末に、
トランスポートチャネルを介してデータを送信するために前記移動端末と無線アクセスネットワークとの間に無線ベアラを確立し、
前記少なくとも１つの確立された無線ベアラを、フラグをそれぞれ有する少なくとも１つの論理チャネルに関連付け、
各論理チャネルに優先度を割り当て、
前記関連する無線ベアラの前記スケジューリングモードに応じて、前記少なくとも１つの論理チャネルの前記少なくとも１つのフラグを設定させる、命令を格納するコンピュータ読取り可能な媒体。
【請求項４１】
前記移動端末のプロセッサにより実行されると、請求項３３から請求項３７のいずれかに記載の方法の工程を前記移動端末に実行させる命令を更に格納する、請求項４０記載のコンピュータ読取り可能な媒体。
【発明の詳細な説明】
【技術分野】
【０００１】
本発明は、媒体アクセス制御エンティティを具備する移動端末から移動通信システムの無線アクセスネットワークへデータを送信する方法、及び個々の優先度を使用する移動端末に関する。更に、本発明は、スケジューリングモードに応じたデータ送信のスケジューリングを可能にする方法及び移動端末に関する。
【背景技術】
【０００２】
Ｗ−ＣＤＭＡ（広帯域符号分割多重アクセス）は、第３世代無線移動通信システムとしての使用のために標準化されたＩＭＴ−２０００（国際移動通信）の無線インタフェースであり、柔軟且つ効率的に音声サービスやマルチメディア移動通信サービス等の様々なサービスを提供する。日本、ヨーロッパ、アメリカ及び他の国々の標準化団体は、Ｗ−ＣＤＭＡに対する共通の無線インタフェース仕様を作成するために第３世代パートナーシッププロジェクト（３ＧＰＰ）を共同で組織化した。
【０００３】
標準化されたヨーロッパ版のＩＭＴ−２０００は一般にＵＭＴＳ（汎用移動通信システム）と呼ばれる。最初のＵＭＴＳの仕様は、１９９９年に発行された（リリース９９）。一方、リリース４及びリリース５においては、３ＧＰＰにより上記規格に対する複数の改善が標準化され、さらなる改善のための議論がリリース６に向けて現在なお継続中である。
【０００４】
ダウンリンク及びアップリンクの個別チャネル（ＤＣＨ）、並びにダウンリンク共有チャネル（ＤＳＣＨ）が、リリース９９及びリリース４において定義された。後年、開発者らは、マルチメディアサービス又はデータサービス全般の提供のためには、高速非対称アクセスを実施する必要があると認識した。リリース５では、高速ダウンリンクパケットアクセス（ＨＳＤＰＡ）が導入された。新しい高速ダウンリンク共有チャネル（ＨＳ−ＤＳＣＨ）は、ＵＭＴＳ無線アクセスネットワーク（ＲＡＮ）から、ＵＭＴＳ仕様においてユーザ装置と呼ばれる通信端末までのダウンリンク高速アクセスを、ユーザに提供する。
【０００５】
ハイブリッドＡＲＱ方式
非リアルタイムサービスにおける誤り検出の最も一般的な技術は、前方誤り訂正（ＦＥＣ）と組み合わせた自動再送要求（ＡＲＱ）方式に基づく、ハイブリッドＡＲＱと呼ばれる技術である。巡回冗長検査（ＣＲＣ）により誤りが検出されると、受信器は、送信器に対し追加ビット又は新しいデータパケットを送信するよう要求を行う。既存の様々な方式のうち、ストップアンドウエイト（ＳＡＷ）と、選択再送（ＳＲ）連続ＡＲＱ（Selective-repeat continuous ARQ）とが、移動通信において最も頻繁に使用される。
【０００６】
データユニットは送信前に符号化される。再送されるビットに応じて、３つの異なるタイプのＡＲＱを定義することができる。
【０００７】
ＨＡＲＱタイプＩでは、受信した誤りデータパケット（ＰＤＵ：パケットデータユニットとも称する）は廃棄され、当該ＰＤＵの新しい複製が別途再送、復号される。当該ＰＤＵの以前のバージョンと後のバージョンとを合成することはない。ＨＡＲＱタイプＩＩを用いる場合、再送の必要がある誤りＰＤＵは廃棄されず、その後の復号化のために、送信器から提供される複数の増加冗長性（incremental redundancy）ビットと合成される。再送ＰＤＵは、時にはより高い符号化レートを有し、受信器において、記憶された値と合成される。このことは、再送毎に僅かに冗長性が加えられることを意味する。
【０００８】
最後に、ＨＡＲＱタイプＩＩＩは、タイプＩＩとほとんど同じパケット再送方式であり、再送された全てのＰＤＵが自己復号可能であるという点においてのみ異なる。このことは、ＰＤＵは、以前のＰＤＵとの合成なしで復号可能であることを意味する。自己復号可能パケットは、複数のＰＤＵが極度に損傷を受けて再利用可能な情報がほとんど無い場合に、有利に使用することができる。
【０００９】
チェイス合成を使用する場合、再送信パケットは同一のシンボルを搬送する。この場合、複数の受信パケットは、シンボル毎又はビット毎に合成される（非特許文献１参照）。これらの合成値は、それぞれのＨＡＲＱ処理のソフトバッファ内に格納される。
【００１０】
パケットスケジューリング
パケットのスケジューリングは、共有媒体への参入を許可されたユーザに送信機会と送信フォーマットとを割り当てるために使用される無線リソース制御アルゴリズムである。スケジューリングは、パケットに基づく移動無線ネットワークにおいて、スループット／容量を最大化するために適応変調符号化と組み合わせて使用することができる（例えば望ましいチャネル条件のユーザに送信機会を割り当てることにより）。ＵＭＴＳのパケットデータサービスは、インタラクティブ及びバックグラウンドのトラフィッククラスに対して適用可能であるが、ストリーミングサービスにも使用することができる。インタラクティブ及びバックグラウンドのクラスに属するトラフィックは非リアルタイム（ＮＲＴ）トラフィックとして扱われ、パケットスケジューラにより管理される。パケットのスケジューリング方法は次のように特徴づけることができる。
【００１１】
●スケジューリング期間／頻度：ユーザが予めスケジューリングされる期間。
●サービスの順番：ユーザがサービスを受ける順番。例えば、無作為の順番（ラウンドロビン方式）、又はチャネル品質（Ｃ／Ｉ又はスループットに基づく）に従う。
●割り当て方法：リソースを割り当てる基準。例えば、キューに入れられたすべてのユーザに対し、割り当て時間間隔当たり同じデータ量、又は同じ電力／符号／時間のリソースを割り当てる。
【００１２】
アップリンクのパケットスケジューラは、３ＧＰＰ  ＵＭＴＳ  Ｒ９９／Ｒ４／Ｒ５では無線ネットワーク制御装置（ＲＮＣ）とユーザ装置との間に分散される。アップリンク上では、様々なユーザにより共有される無線インタフェースリソースはノードＢ（Node B）における全受信電力であり、従ってスケジューラのタスクはユーザ装置間に電力を割り当てることである。現在のＵＭＴＳ  Ｒ９９／Ｒ４／Ｒ５仕様では、ＲＮＣは、各ユーザ装置に様々なトランスポートフォーマットのセット（変調方式、符号レート等）を割り当てることにより、ユーザ装置がアップリンク送信中に送信できる最大レート／電力を制御する。
【００１３】
このようなＴＦＣＳ（トランスポートフォーマットコンビネーションセット）の確立と再設定は、ＲＮＣとユーザ装置との間の無線リソース制御（ＲＲＣ）メッセージングを使用することにより達成することができる。ユーザ装置は、自分自身の状態（例えば、利用可能電力及びバッファ状態）に基づいて、割り当てられたトランスポートフォーマットコンビネーションから自発的に（autonomously）選択することを許可される。現在のＵＭＴＳ  Ｒ９９／Ｒ４／Ｒ５仕様には、アップリンクのユーザ装置の送信に対して課せられた時間の制御はない。スケジューラは、例えば送信時間間隔を基準として動作することができる。
【００１４】
ＵＭＴＳの構成
汎用移動通信システム（ＵＭＴＳ）の上位レベルのＲ９９／４／５構成を図１に示す（非特許文献２参照、http://www.3gpp.orgから入手可能）。ネットワーク要素は、機能的に、コアネットワーク（ＣＮ）１０１、ＵＭＴＳ地上無線アクセスネットワーク（ＵＴＲＡＮ）１０２、及びユーザ装置（ＵＥ）１０３に分類される。ＵＴＲＡＮ１０２は、全ての無線関連機能の処理を行い、一方、ＣＮ１０１は、呼及びデータ接続を外部ネットワークへルーティングする処理を行う。これらのネットワーク要素の相互接続は、オープンインタフェース（Ｉｕ、Ｕｕ）により定義される。ＵＭＴＳシステムは、モジュール式であり、従って複数の同一タイプのネットワーク要素を持つことができることに留意されたい。
【００１５】
図２に現行のＵＴＲＡＮの構成を示す。複数の無線ネットワーク制御装置（ＲＮＣ）２０１、２０２がＣＮ１０１へ接続される。各ＲＮＣ２０１、２０２は、１つ又は複数の基地局（ノードＢ）２０３、２０４、２０５、２０６の制御を行い、これらの基地局はユーザ装置と通信を行う。幾つかの基地局を制御するＲＮＣは、これらの基地局のコントローリングＲＮＣ（Ｃ−ＲＮＣ）と呼ばれる。Ｃ−ＲＮＣを伴う制御された基地局のセットは、無線ネットワークサブシステム（ＲＮＳ）２０７、２０８と呼ばれる。ユーザ装置とＵＴＲＡＮとの間の各接続に対して、１つのＲＮＳがサービングＲＮＳ（Ｓ−ＲＮＳ）となり、コアネットワーク（ＣＮ）１０１とのいわゆるＩｕ接続を維持する。必要に応じて、ドリフトＲＮＳ（Ｄ−ＲＮＳ）３０２は、図３に示すように、無線リソースを提供することによってサービングＲＮＳ（Ｓ−ＲＮＳ）３０１をサポートする。それぞれのＲＮＣは、サービングＲＮＣ（Ｓ−ＲＮＣ）及びドリフトＲＮＣ（Ｄ−ＲＮＣ）と呼ばれる。Ｃ−ＲＮＣ及びＤ−ＲＮＣは同一であることが可能であり、またしばしばそうであるため、Ｓ−ＲＮＣ又はＲＮＣの略記が頻繁に用いられる。
【００１６】
拡張アップリンク個別チャネル（Ｅ−ＤＣＨ）
個別トランスポートチャネル（ＤＴＣＨ）用のアップリンクエンハンスメント（Ｅ−ＤＣＨ）は、現在３ＧＰＰ技術仕様グループＲＡＮにより研究されている（非特許文献３参照、http://www.3gpp.orgで入手可能）。ＩＰベースのサービスの利用は更に重要になるので、アップリンク個別トランスポートチャネルの遅延を低減させるとともに、ＲＡＮのカバー範囲（coverage）及びスループットを改善する要求が増加している。ストリーミング、インタラクティブ及びバックグラウンドのサービスはこの拡張アップリンクから恩恵を受けることができる。
【００１７】
エンハンスメントの一例は、ノードＢ制御スケジューリング（Node B controlled scheduling）に関連する適応変調符号化方式（ＡＭＣ）の使用であり、すなわちＵｕインタフェースのエンハンスメントである。既存のＲ９９／Ｒ４／Ｒ５のシステムでは、アップリンクの最大データレート制御はＲＮＣ内で行われる。ノードＢ内のスケジューラを再配置することにより、ＲＮＣとノードＢとの間のインタフェースのシグナリングより生じる待ち時間を低減させることができ、従って、スケジューラはアップリンク負荷の時間的変化に対して速く対応することができる。これにより、ユーザ装置とＲＡＮとの通信における全体的な待ち時間を低減することができる。従って、ノードＢ制御スケジューリングは、アップリンク負荷が低減する場合には、より高いデータレートを速やかに割り当てることにより、又は、アップリンク負荷が増加する場合には、アップリンクデータレートを制限することにより、それぞれアップリンク干渉をより確かに制御するとともに雑音上昇の変動を平滑化することができる。カバー範囲及びセルスループットは、アップリンク干渉をより確かに制御することで改善可能である。
【００１８】
アップリンク上の遅延を低減させると考えられる別の技術は、他のトランスポートチャネルと比較して短いＴＴＩ（送信時間間隔）長をＥ−ＤＣＨに対して導入する技術である。通常１０ｍｓの送信時間間隔が他のチャネル上で使用されているが、２ｍｓのＴＴＩ長が現在、Ｅ−ＤＣＨ上の利用に向けて研究されている。ＨＳＤＰＡの重要な技術の一つであるハイブリッドＡＲＱも、拡張アップリンク個別チャネル用に検討されている。ノードＢとユーザ装置との間のハイブリッドＡＲＱプロトコルは、誤って受信されたデータユニットの迅速な再送を可能とし、ＲＬＣ（無線リンク制御）再送の回数及びこれに係る遅延を低減させる。これにより、エンドユーザの経験するサービス品質を改善することができる。
【００１９】
上述のエンハンスメントをサポートするために、以下ＭＡＣ−ｅｕと呼ぶ新ＭＡＣサブレイヤが導入される（非特許文献４参照）。以下の章で更に詳細に説明する、この新サブレイヤのエンティティは、ユーザ装置とノードＢとに設置することができる。ユーザ装置側では、ＭＡＣ−ｅｕは、上位レイヤデータ（例えばＭＡＣ−ｄ）を新しい拡張トランスポートチャネルに多重化するとともにＨＡＲＱプロトコル送信エンティティを動作させる新しいタスクを実行する。
【００２０】
更に、ＭＡＣ−ｅｕサブレイヤは、ＵＴＲＡＮ側でハンドオーバ中にＳ−ＲＮＣにおいて終端することができる。従って、並べ替え機能を与えられた並べ替えバッファも、Ｓ−ＲＮＣ内に存在することができる。
【００２１】
ユーザ装置におけるＥ−ＤＣＨ  ＭＡＣ構成
図４は、例示的なユーザ装置側のＥ−ＤＣＨ  ＭＡＣ構成の全体を示す。新ＭＡＣ機能エンティティであるＭＡＣ−ｅｕ４０３が、Ｒｅｌ／９９／４／５のＭＡＣ構成に加えられる。ＭＡＣ−ｅｕ４０３エンティティを図５に詳細に示す。
【００２２】
ユーザ装置からノードＢに送信されるデータパケットを搬送するＭ個の異なるデータフロー（ＭＡＣ−ｄ）が存在する。これらのデータフローは、異なるＱｏＳ（サービス品質）、例えば遅延及び誤りの要件を有することができ、設定の異なるＨＡＲＱインスタンスを必要とし得る。従って、データパケットは、異なる優先度キューに格納することができる。ユーザ装置及びノードＢにそれぞれ設置された、ＨＡＲＱ送受信エンティティのセットは、ＨＡＲＱ処理と呼ばれる。スケジューラは、ＨＡＲＱ処理を異なる優先度キューに割り当てる際、ＱｏＳパラメータを考慮する。ＭＡＣ−ｅｕエンティティは、レイヤ１のシグナリングを介しノードＢ（ネットワーク側）からスケジューリング情報を受信する。
【００２３】
ＵＴＲＡＮにおけるＥ−ＤＣＨ  ＭＡＣ構成
ソフトハンドオーバ動作では、ＵＴＲＡＮ側のＥ−ＤＣＨ  ＭＡＣ構成におけるＭＡＣ−ｅｕエンティティは、ノードＢ（ＭＡＣ−ｅｕｂ）とＳ−ＲＮＣ（ＭＡＣ−ｅｕｒ）との間で分散することができる。ノードＢのスケジューラは、アクティブユーザを選択し、指示されたレート、提示されたレート、又は送信が許可されたＴＣＦＳ（トランスポートフォーマットコンビネーションセット）のサブセットにアクティブユーザ（ＵＥ）を制限するＴＦＣ（トランスポートフォーマットコンビネーション）閾値を決定してシグナリングすることにより、レート制御を行なう。
【００２４】
各ＭＡＣ−ｅｕエンティティは１ユーザ（ＵＥ）に対応している。図６に、ノードＢのＭＡＣ−ｅｕ構成を更に詳細に示す。各ＨＡＲＱ受信器エンティティは、未着の（outstanding）再送からのパケットのビットを合成するために一定量又は一定領域のソフトバッファメモリを割り当てられることに留意されたい。一旦パケットが正常に受信されると、パケットは、順序通りの配信（in-sequence delivery）を上位レイヤに提供する並べ替えバッファ（reordering buffer）へ転送される。上述の実施の形態によれば、並べ替えバッファは、ソフトハンドオーバ中、Ｓ−ＲＮＣ内に存在する（非特許文献５参照、http://www.3gpp.orgから入手可能）。図７に、対応するユーザ（ＵＥ）の並べ替えバッファを含むＳ−ＲＮＣ  ＭＡＣ−ｅｕ構成を示す。並べ替えバッファの数は、ユーザ装置側での対応するＭＡＣ−ｅｕエンティティにおけるデータフローの数と等しい。データ及び制御情報は、ソフトハンドオーバ中、アクティブセット内の全てのノードＢからＳ−ＲＮＣへ送信される。
【００２５】
必要とされるソフトバッファのサイズは、使用されるＨＡＲＱ方式に依存することに留意されたい。例えば、増加冗長性（ＩＲ）を利用するＨＡＲＱ方式においては、チェイス合成（ＣＣ）を用いるものよりも多くのソフトバッファが必要になる。
【００２６】
Ｅ−ＤＣＨシグナリング
特定の方式の動作に必要なＥ−ＤＣＨ関連の制御シグナリングは、アップリンク及びダウンリンクのシグナリングを含む。このシグナリングは、考慮されるアップリンクエンハンスメントに依存する。
【００２７】
ノードＢ制御スケジューリング（Node B controlled scheduling）（例えば、ノードＢ制御タイムアンドレートスケジューリング（time and rate scheduling)）を可能にするために、ユーザ装置は、データをノードＢへ送信するために、何らかの要求メッセージをアップリンク上で送信する必要がある。上記要求メッセージは、ユーザ装置の状態情報（例えば、バッファ状態、電力状態、チャネル品質推定値）を含むことができる。上記要求メッセージは、以下ではスケジューリング情報（ＳＩ）と呼ぶ。この情報に基づき、ノードＢは、雑音上昇を推定し、ＵＥのスケジューリングを行うことができる。ダウンリンクにおいてノードＢからＵＥへ送信される許可メッセージにより、ノードＢは、ＵＥが送信を許可される最大データレート及び時間間隔を有するＴＦＣＳをＵＥに割り当てる。上記許可メッセージは、以下ではスケジューリング割り当て（ＳＡ）と呼ぶ。
【００２８】
アップリンクにおいて、ユーザ装置は、送信されたパケットを正しく復号するために必要なレートインジケータメッセージ情報（例えば、トランスポートブロックサイズ（ＴＢＳ）、変調符号化方式（ＭＣＳ）レベル等）を、ノードＢへシグナリングする必要がある。更に、ＨＡＲＱを用いる場合、ユーザ装置は、ＨＡＲＱ関連の制御情報（例えば、ハイブリッドＡＲＱ処理番号、ＵＭＴＳリリース５の新規データインジケータ（ＮＤＩ：New Data Indicator）と呼ばれるＨＡＲＱシーケンス番号、冗長バージョン（ＲＶ）、レートマッチングパラメータ等）をシグナリングする必要がある。
【００２９】
拡張アップリンク個別チャネル（Ｅ−ＤＣＨ）上で送信されたパケットを受信し、復号化した後、ノードＢは、ダウンリンクにおいてＡＣＫ／ＮＡＣＫを送信することで、送信が成功したか否かをＵＥに通知する必要がある。
【００３０】
Ｒｅｌ９９／４／５のＵＴＲＡＮ内のモビリティ管理
モビリティ管理に関連したいくつかの手順について説明する前に、以下頻繁に使用されるいくつかの用語をまず定義する。
【００３１】
無線リンクは、単一のＵＥと単一のＵＴＲＡＮアクセスポイントとの間の論理結合として定義することができる。その物理的具現例は、無線ベアラ送信を含む。
【００３２】
ハンドオーバは、接続の一時的な中断を伴う（ハードハンドオーバ）、あるいはＵＥが常時ＵＴＲＡＮに接続されるようにＵＥ接続への／ＵＥ接続からの無線ベアラの包含／排除を伴う（ソフトハンドオーバ）、一つの無線ベアラから別のベアラへのＵＥ接続の移動として理解することができる。ソフトハンドオーバは、符号分割多重アクセス（ＣＤＭＡ）技術を用いるネットワークに特有のものである。ハンドオーバの実行は、現行のＵＴＲＡＮ構成を例に取ると、移動体無線ネットワークのＳ−ＲＮＣにより制御することができる。
【００３３】
ＵＥに関連するアクティブセットは、ＵＥと無線ネットワークとの間の特定の通信サービスに同時に関与する１セットの無線リンクを含む。ＵＥとＵＴＲＡＮとの間の通信のアクティブセットを変更するために、アクティブセット更新手順を用いることができる。その手順は３つの機能、すなわち無線リンクの追加、無線リンクの除去、並びに無線リンクの追加及び除去の組み合わせを含む。同時無線リンクの最大数は８に設定される。一旦、各基地局のパイロット信号強度がアクティブセットの中で最も強度の高いメンバーのパイロット信号に対する特定の閾値を越えると、新しい無線リンクがアクティブセットへ加えられる。
【００３４】
一旦、各基地局のパイロット信号強度がアクティブセットの中で最も強度の高いメンバーのパイロット信号に対する特定の閾値を越えると、無線リンクがアクティブセットから除去される。無線リンクの追加に対する閾値は通常、無線リンクの除去の場合よりも高くなるよう選択される。従って、上記追加と除去の事象はパイロット信号強度に対しヒステリシスを形成する。
【００３５】
パイロット信号の測定は、ＲＲＣシグナリングにより、ＵＥからネットワーク（Ｓ−ＲＮＣ）へ報告することができる。測定結果を送信する前に、高速フェージングを平均化するために、通常何らかのフィルタリングが行なわれる。標準的なフィルタリングの継続時間は約２００ｍｓであり、これはハンドオーバ遅延の一要因となる。測定結果に基づき、ネットワーク（例えば、Ｓ−ＲＮＣ）は、アクティブセット更新手順の機能（現在のアクティブセットに対するノードＢの追加／除去）の一つの実行開始を決定する。
【００３６】
Ｅ−ＤＣＨ  −  ノードＢ制御スケジューリング
ノードＢ制御スケジューリングはＥ−ＤＣＨの技術的特徴の１つである。ノードＢ制御スケジューリングは、アップリンクでのより高いセルスループットを提供するとともにそのカバー範囲を広げるために、アップリンク電力リソースのより効率的な利用を可能にすると予測される。用語「ノードＢ制御スケジューリング」は、ノードＢが、ＲＮＣにより設定された制約内でＴＦＣのセット（このＴＦＣセットからＵＥは適切なＴＦＣを選択することができる）を制御する可能性を表す。ＵＥが自発的にＴＦＣを選択することができるＴＦＣのセットは、以下では「ノードＢ制御ＴＦＣサブセット（Node B controlled TFC subset）」と呼ぶ。
【００３７】
「ノードＢ制御ＴＦＣサブセット」は、図８に見られるようにＲＮＣにより設定されたＴＦＣＳのサブセットである。ＵＥは、Ｒｅｌ５  ＴＦＣ選択アルゴリズムを使用することにより「ノードＢ制御ＴＦＣサブセット」から適切なＴＦＣを選択する。利用可能な十分な電力マージン及び十分なデータがあることとＴＦＣが閉鎖状態（blocked state）ではないということを前提とすると、「ノードＢ制御ＴＦＣサブセット」内の任意のＴＦＣはＵＥにより選択され得る。Ｅ−ＤＣＨのＵＥ送信をスケジューリングする２つの基本的手法がある。すべてのスケジューリング方式は、ＵＥにおけるＴＦＣ選択の管理として見ることができ、ノードＢが当該処理及び関連するシグナリング要件にどのように影響を及ぼし得るかという点が主に異なる。
【００３８】
ノードＢ制御レートスケジューリング（Node B controlled rate scheduling）
このスケジューリング手法の原理は、高速ＴＦＣＳ制約の制御により、ノードＢがユーザ装置のトランスポートフォーマットコンビネーション選択を制御し制約することを可能にすることである。ノードＢは、ユーザ装置が適切なトランスポートフォーマットコンビネーションを自発的に選択することができる「ノードＢ制御サブセット」を、レイヤ１シグナリングにより拡大／縮小することができる。ノードＢ制御レートスケジューリングでは、すべてのアップリンク送信は、並列に、しかしノードＢでの雑音上昇閾値を越えないように十分に低いレートで発生し得る。従って、様々なユーザ装置からの送信は時間的に重複してよい。レートスケジューリングにより、ノードＢはアップリンクＴＦＣＳを制約することのみでき、ＵＥがＥ−ＤＣＨ上でデータを送信する時間は制御しない。ノードＢは同時に送信するＵＥの数を認識しないがため、セルにおけるアップリンク雑音上昇の精確な制御はできない（非特許文献６を参照、http://www.3gpp.orgで入手可能）。
【００３９】
ノードＢとユーザ装置との間のレイヤ１シグナリングによるトランスポートフォーマットコンビネーション制御を可能にするために、２つの新しいレイヤ１メッセージが導入される。レート要求（ＲＲ）は、アップリンクにおいてユーザ装置によりノードＢへ送信することができる。ＲＲにより、ユーザ装置は、ノードＢに「ノード制御ＴＦＣサブセット」を１ステップ拡大／縮小するように要求することができる。更に、ダウンリンクにおいて、レート許可（ＲＧ）をノードＢによりユーザ装置へ送信することができる。ＲＧを使用することにより、ノードＢは、例えばアップ／ダウンコマンドを送信することにより「ノードＢ制御ＴＦＣサブセット」を変更できる。新しい「ノードＢ制御ＴＦＣサブセット」は、更新される次の時間まで有効である。
【００４０】
ノードＢ制御タイムアンドレートスケジューリング
ノードＢ制御タイムアンドレートスケジューリングの基本原理は、（理論上に限るが）ユーザ装置のサブセットが、所与の時間に、ノードＢでの所望の全体雑音上昇を越えないように送信できるようにすることである。アップ／ダウンコマンドを送信して「ノードＢ制御ＴＦＣサブセット」を１ステップ拡大／縮小する代わりに、ノードＢは、明示的なシグナリングを介して、例えばＴＦＣＳインジケータ（ポインタでもよい）を送信することにより、トランスポートフォーマットコンビネーションサブセットを任意の許容値に更新できる。
【００４１】
更に、ノードＢは、ユーザ装置が送信を許容される開始時間と有効期間とを設定できる。様々なユーザ装置に対する「ノードＢ制御ＴＦＣサブセット」の更新は、時間的に重複する複数のユーザ装置からの送信を可能な限り回避するために、スケジューラにより調整することができる。ＣＤＭＡシステムのアップリンクでは、同時送信は常に互いに干渉する。従って、ユーザ装置の数を制御してＥ−ＤＣＨ上でデータを同時に送信することにより、ノードＢはセル内のアップリンク干渉レベルを更に精確に制御することができる。ノードＢのスケジューラは、例えばユーザ装置のバッファ状態、ユーザ装置の電力状態、及びノードＢでの利用可能な全受信干渉電力（ＲｏＴ）マージン（interference Rise over Thermal margin）に基づいて、送信時間間隔（ＴＴＩ）当たりで送信することが許可されるユーザ装置と、対応するＴＦＣＳインジケータとを決定することができる。
【００４２】
ノードＢ制御タイムアンドレートスケジューリングをサポートするために、２つの新しいレイヤ１メッセージが導入される。スケジューリング情報更新（ＳＩ）は、アップリンクにおいてユーザ装置によりノードＢに送信することができる。ユーザ装置は、スケジューリング要求をノードＢに送信する必要性を見出すと（例えば、新しいデータがユーザ装置バッファ内に生じる）、ユーザ装置は必要なスケジューリング情報を送信することができる。このスケジューリング情報により、ユーザ装置は、その状態についての情報、例えば、バッファの占有率及び利用可能な送信電力をノードＢに提供する。
【００４３】
スケジューリング割り当て（ＳＡ）は、ダウンリンクにおいてノードＢからユーザ装置に送信することができる。スケジューリング要求を受信すると、ノードＢは、スケジューリング情報（ＳＩ）と、ノードＢでの利用可能なＲｏＴマージンのようなパラメータとに基づいて、ユーザ装置をスケジューリングすることができる。スケジューリング割り当て（ＳＡ）では、ノードＢは、ＴＦＣＳインジケータ、並びにユーザ装置により使用される後続の送信開始時間及び有効期間をシグナリングすることができる。
【００４４】
ノードＢ制御タイムアンドレートスケジューリングは、前述のレートのみが制御されるスケジューリングと比較し、より精確なＲｏＴ制御を提供する。しかしながら、このノードＢでの干渉のより精確な制御は、レート制御スケジューリングと比較してより多くのシグナリングオーバーヘッド及びスケジューリング遅延（スケジューリング要求とスケジューリング割り当てメッセージ）を費やすことにより得られる。
【００４５】
図９に、ノードＢ制御タイムアンドレートスケジューリングを伴う一般的なスケジューリング手順を示す。ユーザ装置がＥ−ＤＣＨ上のデータ送信のスケジューリングを望む場合、まずノードＢにスケジューリング要求を送信する。Ｔｐｒｏｐは、ここではエアインタフェース上の伝播時間を表わす。このスケジューリング要求の内容物は、例えばユーザ装置のバッファ状態及び電力状態の情報（スケジューリング情報）である。このスケジューリング要求を受信すると、ノードＢは、得られた情報を処理してスケジューリング割り当てを決定することができる。このスケジューリングは処理時間Ｔｓｃｈｅｄｕｌｅを必要とする。
【００４６】
次に、ＴＦＣＳインジケータ並びに対応する送信開始時間及び有効期間を含むスケジューリング割り当てを、ダウンリンクにおいてユーザ装置に送信することができる。スケジューリング割り当てを受信した後、ユーザ装置は、割り当てられた送信時間間隔内にＥ−ＤＣＨ上で送信を開始する。
【００４７】
Ｅ−ＤＣＨは、アップリンクにおけるユーザ装置群による他の送信の混合物と共存しなければならないので、レートスケジューリング、又はタイムアンドレートスケジューリングのいずれかの使用は利用可能電力により制限することができる。様々なスケジューリングモードの共存は、様々なトラフィック形態をサービスする際の柔軟性を提供することができる。例えば、少量のデータ及び／又はＴＣＰのＡＣＫ／ＮＡＣＫなどの高い優先度を有するトラフィックは、タイムアンドレート制御スケジューリングを使用することと比べ自発送信（autonomous transmission）を伴うレート制御モードのみを使用して送信することができる。レート制御モードはより少ない待ち時間とより少ないシグナリングオーバーヘッドを伴う。
【００４８】
無線リンク制御プロトコル（ＲＬＣ）
以下に、ＲＬＣプロトコルレイヤの動作を簡潔に要約する。ただし、ＲＬＣプロトコルに関する本段落及びすべての段落における詳細のレベルは、本発明の説明の理解を助けるのに十分な程度にのみ保たれることに留意されたい。
【００４９】
無線リンク制御プロトコルは、フロー制御並びにユーザデータ及び制御データの両方の誤り回復のために、３Ｇ  ＵＭＴＳ移動通信システムで使用されるレイヤ２プロトコルである。ＵＭＴＳにおけるＲＬＣには、トランスペアレントモード（ＴＭ）、非応答モード（ＵＭ：unacknowledged mode）及び応答モード（ＡＭ：acknowledged mode）の３つの動作モードが存在する。各ＲＬＣエンティティは上記モードの１つにおいて動作するようにＲＲＣにより設定される（非特許文献７を参照、http://www.3gpp.orgで入手可能）。
【００５０】
ＲＬＣレイヤが制御プレーンにおいて提供するサービスは、シグナリング無線ベアラ（ＳＲＢ）と呼ばれる。ユーザプレーンでは、ＲＬＣレイヤにより提供されるサービスは無線ベアラ（ＲＢ）と呼ばれる。ただし、ＰＤＣＰ（パケットデータコンバージェンスプロトコル）及び（ブロードキャストマルチキャスト制御）プロトコルが当該サービスにより使用されない場合に限る。そうでない場合は、ＲＢサービスはＰＤＣＰ又はＢＭＣにより提供される。
【００５１】
トランスペアレントモードでは、プロトコルのオーバーヘッドは、上位レイヤからＴＭ−ＳＡＰ（トランスペアレントモードサービスアクセスポイント）を介して受信されたＲＬＣ  ＳＤＵ（サービスデータユニット）に付加されない。特別な場合には、限定的なセグメンテーション／リアセンブリ能力を備えた送信を達成することができる。セグメンテーション／リアセンブリが使用されるかどうかは、無線ベアラ設定手順においてネゴーシエーションすることができる。トランスペアレントモードは、主に音声（speech）のような非常に遅延に敏感なサービスに対して使用される。
【００５２】
非応答モードでは、再送信プロトコルは使用されないのでデータの配信を保証することができない。従って、受信された誤りＰＤＵ（パケットデータユニット）はその設定に応じて廃棄されるかマークされる。上位レイヤから受信したＲＬＣ  ＳＤＵは、送信側でＲＬＣ  ＰＤＵにセグメント化／連結される。受信器側では、それに従ってリアセンブリが行なわれる。
【００５３】
更に、暗号化はＲＬＣレイヤにおいて行なうことができる。非応答モードは、例えばＲＲＣシグナリング手順に対して使用される。ユーザサービスの例は、マルチメディアブロードキャスト／マルチキャストサービス（ＭＢＭＳ）、及びボイスオーバーＩＰ（ＶｏＩＰ）である。
【００５４】
応答モードは、パケットデータの確実な伝送のために設計される。マルチリピートＡＲＱは、誤ったＰＤＵ又は失われたＰＤＵの再送信のために使用される。誤った又は失われたＰＤＵの再送信は、受信器から状態報告を受信すると、送信側により行われる。
【００５５】
状態報告は、送信器によりポーリングされるか、又は自動的に開始させることができる。受信器は、ポーリングされると、送信器へビットマップ状態報告を送信する。この報告は、受信状態（ＡＣＫ又はＮＡＣＫのいずれか）を受信ウィンドウ内に、そして最後に受信したＰＤＵまで示す。応答モードＲＬＣは、上位レイヤへ順序通りの配信と順不動の配信（out-of sequence delivery）との両方を提供するように設定することができる。
【００５６】
前述のように、データＰＤＵの配信に加え、状態及びリセットの制御ＰＤＵをピアエンティティ間でシグナリングすることができる。制御ＰＤＵは、別々の論理チャネル上においてでも送信することができ、従ってＡＭ  ＲＬＣエンティティは、ペイロードデータを送信するためのチャネルと、制御データを送信するためのチャネルとの２つの論理チャネルを利用するように設定することができる。応答モードは、インタラクティブ及びバックグラウンドのサービスのようなパケット型サービスに対するデフォルトモードである。
【００５７】
ＵＭＴＳ仕様によれば、ＲＬＣレイヤの機能は次に示すものである。
【００５８】
●セグメンテーション及びリアセンブリ
●連結
●パディング
●誤り訂正
●上位レイヤへの順序通りの配信
●二重検出（duplicate detection）
●フロー制御
●シーケンス番号検査
●プロトコル誤りの検出及び回復
●暗号化
●データ転送の中断／再開機能
【００５９】
無線ベアラ設定
無線ベアラ確立
どの送信を開始する前にも、無線ベアラ（ＲＢ）は確立され、全てのレイヤはそれに従って設定されなければならない。無線ベアラを確立するための手順は、無線ベアラと個別トランスポートチャネルとの関係に基づいて変り得る。ＱｏＳパラメータに応じて、ＲＢに関連する恒久的に割り当てられた個別チャネルが存在してもしなくてもよい。
【００６０】
個別物理チャネルアクティブ化を伴う無線ベアラ確立
ＵＭＴＳでは、無線ベアラに対し新しい物理チャネルを作成する必要がある場合、図１１の手順が適用される。ＲＲＣレイヤのネットワーク側で上位レイヤのサービスアクセスポイントからＲＢ確立要求プリミティブが受信されると、無線ベアラの確立が開始される。このプリミティブはベアラ基準（bearer reference）とＱｏＳパラメータとを含む。これらＱｏＳパラメータに基づき、レイヤ１及び２のパラメータはネットワーク側でＲＲＣエンティティにより選択される。
【００６１】
ネットワーク側の物理レイヤ処理は、適用可能な全てのノードＢに発せられるＣＰＨＹ−ＲＬ−セットアップ（CPHY-RL-Setup）要求プリミティブにより開始される。いずれの宛先受信器もサービスを提供できない場合、確認（confirmation）プリミティブにおいてその旨を示す。ノードＢにおいて送受信の開始を含み、レイヤ１をセットアップした後、ＮＷ−ＲＲＣは、そのピアエンティティに対して無線ベアラセットアップ（RADIO BEAER SETUP）メッセージを送信することができる（ネットワーク（ＮＷ）により任意に応答されまたは応答されない送信）。このメッセージはレイヤ１、ＭＡＣ及びＲＬＣのパラメータを含む。上記メッセージを受信した後、ＵＥ−ＲＲＣはレイヤ１及びＭＡＣを設定する。
【００６２】
レイヤ１の同期が表示されると、ＵＥは応答モードで無線ベアラセットアップ完了（RADIO BEARER SETUP COMPLETE）メッセージをネットワークに返信する。ＮＷ−ＲＲＣはネットワーク側でＭＡＣ及びＲＬＣを設定する。
【００６３】
無線ベアラセットアップ完了の確認を受信した後、ＵＥ−ＲＲＣは、新しい無線ベアラに関連した新しいＲＬＣエンティティを作成する。ＲＬＣ確立に適用可能な方法はＲＬＣ転送モードに依存する。ＲＬＣ接続は、暗示的に確立することができるか、あるいは明示的なシグナリングを適用してもよい。最後に、ＲＢ確立表示（RB Establish Indication）プリミティブがＵＥ−ＲＲＣにより送信され、このＲＢ確立確認プリミティブ（RB Establish Confirmation）が。
【００６４】
論理チャネルパラメータ
無線ベアラのセットアップ／再設定では、関与する各論理チャネルは１から８の範囲のＭＡＣ論理チャネル優先度（ＭＬＰ）を割り当てられる。１のＭＬＰは最も高い優先度を表わす。ＭＡＣ論理チャネル優先度は、情報要素（ＩＥ）「ＲＢマッピング情報（RB mapping info）」に含まれる。更に、ＩＥ「ＲＢマッピング情報」はフラグ「ＲＬＣ論理チャネルマッピングインジケータ（RLC logical channel mapping indicator）」を含む。このパラメータは、ＩＥ「ＲＢマッピング情報」内の「アップリンクＲＬＣ論理チャネルの数」が２である場合に限り必須であり、そうでない場合はこのパラメータは必要ではない。
【００６５】
既に述べたように、ＡＭ  ＲＬＣエンティティは１つ又は２つの論理チャネルを使用するように設定できる。２つの論理チャネルがアップリンクにおいて設定された場合、ＡＭデータＰＤＵは第１の論理チャネル上で送信され、制御ＰＤＵは第２の論理チャネル上で送信される。フラグ「ＲＬＣ論理チャネルマッピングインジケータ」が「真（TRUE）」に設定された場合、第１の論理チャネルはデータＰＤＵ用に使用され、第２の論理チャネルは制御ＰＤＵ用に使用されることが指示される。「偽（FALSE）」は、制御及びデータＰＤＵは２つの論理チャネルのいずれかで送信できることを示す。このパラメータは現在のリリースでは使用されておらず、「ＲＬＣ論理チャネルマッピングインジケータ」は「真」に設定されなければならない。
【００６６】
トランスポートチャネル及びＴＦＣ選択
第３世代移動通信システムでは、上位レイヤで生成されたデータは、物理レイヤにおける様々な物理チャネルにマッピングされるトランスポートチャネルにより無線で搬送される。トランスポートチャネルは、情報転送のために物理レイヤにより媒体アクセス制御（ＭＡＣ）レイヤに提供されるサービスである。トランスポートチャネルは、主として２つのタイプに分類される。
【００６７】
●共通トランスポートチャネル：トランスポートチャネル上のデータがすべてのＵＥのうちの特定のＵＥ又はサブセットを宛先とする場合、受信ＵＥの明示的な識別子を必要とする（ブロードキャストトランスポートチャネルでは、ＵＥ識別子は必要ない）。
●個別トランスポートチャネル：受信ＵＥは、トランスポートチャネルを搬送する物理チャネルにより暗示的に与えられる。
【００６８】
個別トランスポートチャネルの一例はＥ−ＤＣＨである。データは送信時間間隔（ＴＴＩ）と一般に呼ばれる周期的な時間間隔中、トランスポートチャネル内で送信される。トランスポートブロックは、トランスポートチャネル上、すなわち物理レイヤとＭＡＣレイヤとの間で交換される基本データユニットである。トランスポートブロックは、ＴＴＩ毎に１回、物理レイヤに到達するか又は物理レイヤにより配信される。トランスポートフォーマット（ＴＦ）は、ＴＴＩ期間中にデータがトランスポートチャネル上でどのように送信されるかを記述する。
【００６９】
トランスポートフォーマットは次の２つの部分を含む。半静的部分は、送信時間間隔（ＴＴＩ）（例えば、１０ｍｓ、２０ｍｓ、４０ｍｓ、８０ｍｓ）、ＦＥＣ（前方誤り訂正）符号のタイプ（例えば、畳み込み、ターボ、無し）、チャネル符号化レート（例えば、１／２、１／３）、及びＣＲＣサイズを示す。第２の部分である動的部分は、ＴＴＩ当たりのトランスポートブロック数、及びトランスポートブロック当たりのビット数を示す。
【００７０】
動的部分の属性はＴＴＩ毎に変り得るが、一方半静的部分の属性はＲＲＣトランスポートチャネル再設定手順により変更される。各トランスポートチャネルに対し、トランスポートフォーマットのセット（いわゆるトランスポートフォーマットセット（ＴＦＳ））が定義される。ＴＦＳは、トランスポートチャネルのセットアップ時にＲＲＣからＭＡＣレイヤに割り当てられる。アップリンク又はダウンリンクの接続は、通常２つ以上のトランスポートチャネルを含む。すべてのトランスポートチャネルのトランスポートフォーマットの組み合わせは、トランスポートフォーマットコンビネーション（ＴＦＣ）として知られる。各ＴＴＩの開始時に、すべてのトランスポートチャネルに対し適切なＴＦＣが選択される。トランスポートチャネルの数に応じて、ＴＦＣは、ＴＴＩ内でそれぞれのトランスポートチャネルのデータを送信するために使用されるトランスポートフォーマットを定義する多くのＴＦを含む。
【００７１】
ＭＡＣレイヤは、ＲＲＣ無線リソース制御ユニットにより割り当てられたトランスポートフォーマットコンビネーションのセット（又はトランスポートフォーマットコンビネーションセットのＴＦＣＳ）に基づいて、各トランスポートチャネルのトランスポートフォーマットを選択するとともに、対応ＴＴＩ期間中、関連するトランスポートチャネル（associated transport channel）上で送信される各論理チャネルのデータ量も選択する。この手順は「ＴＦＣ（トランスポートフォーマットコンビネーション）選択」と呼ばれる。ＵＭＴＳ  ＴＦＣ選択手順についての詳細は、http://www.3gpp.orgで入手可能な非特許文献８を参照されたい。
【００７２】
トランスポートフォーマットコンビネーションの選択のために、ＭＡＣレイヤは以下の情報を提供される。
【００７３】
●トランスポートチャネルについての情報
○トランスポートチャネル数
○各トランスポートチャネルのＴＴＩ間隔の持続期間及び位置
○各トランスポートチャネルの、あり得るトランスポートフォーマットを含むＴＦＳ（トランスポートフォーマットセット）。トランスポートフォーマットインジケータ（ＴＦＩ）が各トランスポートフォーマットに割り当てられる。ＴＦＳの各トランスポートフォーマットは、１対のパラメータ、つまりトランスポートブロック数とトランスポートブロックサイズとにより表わされる。トランスポートブロックのサイズはビット表現で与えられる。２つのパラメータの積は、ＴＴＩにおけるトランスポートチャネルの瞬時ビット送信レートを表わす
○各トランスポートチャネルの関連する論理チャネル（associated logical channel）のリスト
●論理チャネルについての情報
○論理チャネル数
○各論理チャネルの関連するトランスポートチャネル
○各論理チャネルの優先度の値ＭＬＰ（ＭＡＣ論理チャネル優先度）。ＭＬＰは１から８の値を含み、１は論理チャネル優先度の最高度を表わす。
○各論理チャネルのパラメータモード。各論理チャネルのＲＬＣエンティティの動作モードを定義する。このパラメータは、以下の３つの値の内の１つをとることができる。ＡＭ（応答モード）、ＵＭ（非応答モード）、又はＴＭ（トランスペアレントモード）。ＴＦＣ選択に関して、ＡＭ又はＵＭで動作する論理チャネルの処理は同じである。本発明では、ＡＭ又はＵＭのいずれかで動作するＲＬＣエンティティに密接に関係する論理チャネルだけを考慮する。ＡＭ又はＵＭモードの論理チャネルに関し、ＮｂＢｉｔｓは、関連するＲＬＣエンティティにおいて利用可能なビットを表わす。
【００７４】
これらすべてのパラメータの中で、ＭＬＰ及びモードパラメータは半静的であり、無線ベアラ再設定手順により修正できる。ＮｂＢｉｔｓ（関連するＲＬＣエンティティにおけるビット数）は動的であり、当該論理チャネルに関連するトランスポートチャネルの各ＴＴＩ毎に変化し得る。
【００７５】
ＴＦＣの選択は、関与するトランスポートチャネルの中で最小のＴＴＩを表わす各基準ＴＴＩの開始時に行なわれる。例えば、ＴＦＣ選択が、ＴＴＩ長１０ｍｓのトランスポートチャネル＃１とＴＴＩ長４０ｍｓのトランスポートチャネル＃２、＃３とを含む３つのトランスポートチャネル間で行なわれる場合、ＴＦＣ選択は１０ｍｓ毎に行なわれる。
【００７６】
ＵＥにおけるＴＦＣ選択は、ＲＲＣ（ＭＬＰ）により指示される優先度に基づいて行なわれる。論理チャネルは絶対的に優先度を有しており、従ってＭＡＣは、より高い優先度のデータの送信を最大化するＴＦＣをＴＦＣＳから選択できる。
【００７７】
既に述べたように、ＲＲＣはＵＥに１セットのトランスポートフォーマットコンビネーション（ＴＦＣＳ）を割り当てる。ＵＥはＴＦＣＳの各ＴＦＣに対して送信電力を推定する。あるＴＦＣに対して必要な送信電力がＵＥの最大許容送信電力を越えないこと保証するために、ＵＥは、割り当てられたＴＦＣＳにおけるトランスポートフォーマットコンビネーションの使用を制限する。ＵＥの最大許容送信電力を越える送信電力を要求するすべてのＴＦＣは、いわゆる「過剰電力状態（excess power state）」に設定されなければならない。他のすべてのＴＦＣは「サポート状態（supported state）」に設定される。ＭＡＣはサポートされたＴＦＣのセットからＴＦＣを選択する。
【００７８】
選択中、論理チャネルは、それらの優先度値（ＭＬＰ）の小さい順、すなわちそれらの優先度の高い順に処理することができる。図１０を参照し、例示的なＴＦＣ選択処理を説明する。
【００７９】
ＭＬＰ＿ｖａｒと呼ばれる変数は、１に初期化される。ＴＦＣ選択に関与する論理チャネルの少なくとも１つが、ＭＬＰ＿ｖａｒに等しいＭＬＰを有するかどうかが検査される。１つもない場合、パラメータＭＬＰ＿ｖａｒは１つインクリメントされ優先度は下げられる。１つの論理チャネルがＭＬＰ＿ｖａｒの優先度を有する場合、有効なＴＦＣの数が１に等しいかどうかが検査される。
【００８０】
ＴＦＣＳ中に１つだけＴＦＣがある場合、このＴＦＣは選択されてＴＦＣ選択は終了する。そうでない場合は、同図でＴＦＣＳ＿ｖａｌｉｄと呼ばれる有効なＴＦＣのサブセットがトランスポートフォーマットのいくつかの組み合わせを含む場合、ＭＬＰ＿ｖａｌに等しい優先度の論理チャネルのあり得る最大データ量をＵＥが送信できるようにするＴＦＣが選択される。
【００８１】
次に、ＴＦＣＳのサブセットは、以前に選択されたＴＦＣのデータ量と少なくとも同等なデータ量の送信を許容するトランスポートフォーマットの組み合わせに縮小される。次に、ＭＬＰ＿ｖａｒが８に等しいかどうかが検査される。８に等しい場合は、前のステップで選択されたトランスポートフォーマットコンビネーションが選択され、ＴＦＣ選択は終了する。そうでない場合は、同図に示すようにＭＬＰ＿ｖａｒは１つインクリメントされてこれまでのステップが繰り返される。最終的に選択されたＴＦＣは、トランスポートチャネルにおいて送信されるデータ量を、関連する論理チャネルの優先度に従って最大化する。
【００８２】
上述のように、Ｅ−ＤＣＨに使用されると考えられる２つのスケジューリングモードは、レート制御スケジューリングモード、及びタイムアンドレート制御スケジューリングモードである。レート制御モードでは、ＵＥは、ノードＢによりシグナリングされた最大データ転送レートまで自発的に送信することを許可される。この最大データ転送レートは、次のＴＦＣＳ制限メッセージ（レート許可）がノードＢスケジューラにより送信されるまで有効である。ノードＢスケジューラは、レート制御モードではＵＥの送信タイミングを制御しないので、アップリンクリソースはＵＥに対し明示的には確保されない。
【００８３】
タイムアンドレート制御スケジューリングモードでは、ノードＢは、ＵＥが送信を許される時間も制御する。スケジューリング割り当てはＴＦＣＳインジケータを含む。このＴＦＣＳインジケータは最大許容データ転送レート／電力レベルを指定するとともに、ＵＥが指定された最大データ転送レートで送信することを許される時間間隔の指示もする。ノードＢスケジューラは、シグナリングされた時間間隔において、スケジューリングされたＵＥのアップリンクリソース（容量）を確保する。
【００８４】
更に、Ｅ−ＤＣＨ送信が、タイムアンドレート制御スケジューリングモードで行なわれる場合、当該送信はセル内の他のＵＥのスケジューリングに考慮される。従って、特定の時間間隔にスケジューリングされた（タイムアンドレート制御スケジューリングモード）ＵＥがＥ−ＤＣＨでのデータ送信に確保されたリソースを利用するということが保証されなければならない。他の同時アップリンクトラフィックに起因して、ＵＥが、割り当てられた時間間隔において要求されたデータ転送レートでＵＥ−ＤＣＨ上でデータを送信できない場合、ＵＥは別のスケジューリング要求をノードＢに送信しなければならない。
【００８５】
従って、Ｅ−ＤＣＨ上で送信されるサービスはより長い遅延を被ることがある。レート制御モードでの送信に関しては、ノードＢスケジューラが特定の時間間隔に明示的にアップリンクリソースを確保しないのでこの問題はそれほど重大ではない。ＵＥは、いつでも送信を許される。
【非特許文献１】D. Chase: "Code combining: A maximum-likelihood decoding approach for combining an arbitrary number of noisy packets", IEEE Transactions on Communications, Col. COM-33, pages 385 to 393, May 1985
【非特許文献２】3GPP TR25.401: "UTRAN Overall Description"
【非特許文献３】3GPP TR 25.896: "Feasibility Study for Enhanced Uplink for UTRA FDD (Release 6)"
【非特許文献４】3GPP TSG RAN WG1, meeting #31, Tdoc R01-030284, "Scheduled and Autonomous Mode Operation for the Enhanced Uplink"
【非特許文献５】3GPP TSG RAN WG1, meeting #31: "HARQ Structure", TdocR1-030247
【非特許文献６】3GPP TR 25.896: "Feasibility study for Enhanced Uplink for UTRA FDD (Release 6)", version 1.0.0
【非特許文献７】3GPP TS 25.322, "Radio Access Network; Radio Link Control (RLC) protocol specification; (Release 6)", version 6.0.0
【非特許文献８】3GPP TS 25.321, "Medium Access Control (MAC) protocol specification; (Release 6)", version 6.1.0
【非特許文献９】TS 25.331: “Radio Resource Control (RRC); Protocol Specifications (Release 6)”, version 6.1.0, sections 10.2.33: “>RAB information for setup”, 10.3.4.10, and 10.3.4.20
【発明の開示】
【００８６】
本発明の様々な目的の１つはスケジューリングモードに応じてデータ送信を拡張することである。
【００８７】
本目的は独立請求項の主題により解決される。本発明の好ましい実施の形態は従属請求項の主題である。
【００８８】
本発明の実施の形態によれば、移動端末から移動通信システムの無線アクセスネットワークにデータを送信する方法が提供される。この実施の形態では、移動端末は媒体アクセス制御エンティティを含む。
【００８９】
データを送信するために、トランスポートチャネルを介してデータを送信するために移動端末と無線アクセスネットワークとの間に無線ベアラを確立することができる。また、無線ベアラの優先度は、媒体アクセス制御エンティティにより使用可能な複数の異なるスケジューリングモードのそれぞれに割り当てることができる。更に、データは、媒体アクセス制御エンティティにより使用されるそれぞれのスケジューリングモードに割り当てられた優先度に基づいて送信することができる。通常、確立された無線ベアラのそれぞれは、個々のスケジューリングモードでスケジューリングできるということに留意されたい。
【００９０】
この実施の形態では、スケジューリングモードに応じた送信の異なる優先度の取扱が提供される。
【００９１】
別の実施の形態によれば、媒体アクセス制御エンティティは、それぞれのスケジューリングモードに割り当てられた優先度に基づきトランスポートフォーマットコンビネーションを選択することができ、ここで、トランスポートフォーマットコンビネーションは、トランスポートチャネルを介してデータを送信するために使用されるトランスポートフォーマットを含む。送信工程では、データはトランスポートフォーマットを使用して送信できる。この実施の形態は、使用されるスケジューリングモードに応じて、ＴＦＣの選択とデータ送信の優先度決定とを如何にして達成できるかについての１つの可能性を提供する。
【００９２】
本発明の別の実施の形態による他の可能な実施態様は、ある無線ベアラと他の無線ベアラとのデータが１つのトランスポートチャネルを介して送信される状況に適用可能である。この状況では、無線ベアラの媒体アクセス制御エンティティにより使用されるスケジューリングモードに割り当てられた優先度に基づき、これらの無線ベアラのデータをトランスポートチャネルに多重化することができる。
【００９３】
この実施の形態の変形態様では、媒体アクセス制御エンティティは、トランスポートチャネルのトランスポートフォーマットコンビネーションを選択することができ、このトランスポートフォーマットコンビネーションは、トランスポートチャネルを介してデータを送信するために使用されるトランスポートフォーマットを含む。また、上記媒体アクセス制御エンティティは、そのトランスポートフォーマットを使用することにより多重データを送信することができる。
【００９４】
実施の形態の別の変形態様では、優先度は無線ベアラの確立中に割り当てることができる。確立された無線ベアラは、無線リンク制御エンティティと、無線リンク制御エンティティから媒体アクセス制御エンティティへデータを供給する少なくとも１つの論理チャネルとを含むことができる。
【００９５】
本発明の別の実施の形態では、無線ベアラ制御メッセージは無線アクセスネットワークから送信することができる。この無線ベアラ制御メッセージは、複数のスケジューリングモードのそれぞれに対する論理チャネルの優先度を指示する複数の情報要素を含む。この無線ベアラ制御メッセージは、例えば無線ベアラセットアップメッセージ又は無線ベアラ再設定メッセージである。この実施の形態の変形態様では、複数の情報要素は情報要素「ＲＢマッピング情報」内に含むことができる。
【００９６】
この実施の形態のさらなる変形態様では、移動端末の無線リソース制御エンティティは、無線ベアラ制御メッセージにおいて受信された複数のスケジューリングモードのそれぞれに対する無線ベアラの論理チャネルの優先度を指示するパラメータのセットに従って、無線ベアラを確立することができる。
【００９７】
この実施の形態によれば、移動端末は、無線アクセスネットワーク（例えばＲＮＣ）の無線リソース制御機能を有するエンティティから、利用可能なスケジューリングモードの優先度を受信することができ、確立された無線ベアラをそれに従って設定できる。
【００９８】
本発明の別の実施の形態では、無線リンク制御エンティティは、複数の論理チャネルで設定することができ、それぞれの論理チャネルは、送信データを搬送するデータＰＤＵを供給するために使用されるとともに複数のスケジューリングモードの１つに関連付けられる。従って、この実施の形態によれば、無線リンク制御エンティティは、ユーザデータ伝送のための２つ以上の論理チャネルで設定することができ、個々の優先度が論理チャネルに割り当てられる。
【００９９】
別の実施の形態では、データは、そのデータを送信するためにスケジューリングモードに関連付けられた論理チャネルを介して無線リンク制御エンティティから媒体アクセス制御エンティティに供給することができる。この実施の形態の変形態様では、無線リンク制御エンティティは２つの論理チャネルで設定することができ、２つの論理チャネルのそれぞれは、媒体アクセス制御エンティティにより使用される２つの異なるスケジューリングモードの１つに関連付けることができる。そして、現在使用されているスケジューリングモードに応じて、データは第１又は第２の論理チャネルを介して媒体アクセス制御エンティティに供給することができる。
【０１００】
本発明の別の実施の形態は、このメカニズムの更に詳細な動作を提示する。この実施の形態によれば、データをスケジューリングするためのスケジューリングモードを選択することができる。スケジューリングモードを選択すると、媒体アクセス制御エンティティは、選択されたスケジューリングモードに関連する論理チャネルを決定することができ、そして無線リンク制御エンティティから、決定された論理チャネルを介して供給されるべきデータを要求することができる。
【０１０１】
この実施の形態の変形態様では、スケジューリングモードは、移動端末により選択されるか、あるいは選択が無線アクセスネットワークからシグナリングされる。この実施の形態の別の変形態様によれば、データは、要求された論理チャネルを介して、無線リンク制御エンティティから媒体アクセス制御エンティティに供給される。
【０１０２】
本発明の別の実施の形態では、複数のスケジューリングモードは、レート制御スケジューリングモードとタイムアンドレート制御スケジューリングモードとを含む。
【０１０３】
更に、本発明の別の実施の形態は、媒体アクセス制御エンティティを具備する移動端末から移動通信システムの無線アクセスネットワークにデータを送信する方法を提供する。この実施の形態によれば、本方法は、トランスポートチャネルを介してデータを送信するために移動端末と無線アクセスネットワークとの間に無線ベアラを確立する工程と、無線ベアラに優先度を割り当てる工程とを含むことができる。更に、データは、無線ベアラに割り当てられた優先度と、無線ベアラ用の複数のスケジューリングモードの１つを指示する媒体アクセス制御エンティティに設定されたフラグとに基づいて送信することができる。
【０１０４】
本発明の別の実施の形態では、媒体アクセス制御エンティティは、割り当てられた優先度とフラグとに基づいてトランスポートフォーマットコンビネーションを選択することができる。このトランスポートフォーマットコンビネーションは、トランスポートチャネルを介してデータを送信するために使用されるトランスポートフォーマットを含む。
【０１０５】
本発明の別の実施の形態は、ある無線ベアラと他の無線ベアラとからのデータが１つのトランスポートチャネルを介して送信される状況に関する。この実施の形態では、これらの無線ベアラのデータは、それぞれの無線ベアラに割り当てられた優先度とフラグとに基づいて、トランスポートチャネルに多重化することができる。
【０１０６】
この実施の形態の変形態様では、媒体アクセス制御エンティティは更に、トランスポートチャネルのトランスポートフォーマットコンビネーションを選択することができ、このトランスポートフォーマットコンビネーションは、トランスポートチャネルを介してデータを送信するために使用されるトランスポートフォーマットを含み、この媒体アクセス制御エンティティは、このトランスポートフォーマットを使用して多重データを送信することができる。
【０１０７】
別の実施の形態では、フラグが設定された場合、割り当てられた優先度より高い優先度が使用され、そしてフラグが設定されなかった場合、割り当てられた優先度が使用される。
【０１０８】
更に、フラグは、例えばレート制御スケジューリングモード、又はタイムアンドレート制御スケジューリングモードを使用するかどうかを指示する。
【０１０９】
本発明の別の実施の形態では、レート制御スケジューリングモードはタイムアンドレート制御スケジューリングモードより低い優先度を割り当てられる。
【０１１０】
更に、本発明の別の実施の形態では、移動通信システムはＵＭＴＳシステムであり、データはＥ−ＤＣＨを介して送信される。
【０１１１】
本発明の別の実施の形態は、データを、無線リンクを介して移動通信システムの無線アクセスネットワークに送信する移動端末を提供する。この移動端末は、トランスポートチャネルを介してデータを送信するために移動端末と無線アクセスネットワークとの間に無線ベアラを確立する処理手段を含む。この処理手段は、媒体アクセス制御エンティティにより使用可能な複数の異なるスケジューリングモードのそれぞれに、無線ベアラの優先度を割り当てるように適合される。更に、この端末の送信器は、無線ベアラの媒体アクセス制御エンティティにより使用されるそれぞれのスケジューリングモードに割り当てられた優先度に基づいて、データを送信することができる。
【０１１２】
本発明の別の実施の形態は、無線リンクを介して移動通信システムの無線アクセスネットワークにデータを送信する移動端末を提供し、この移動端末は、トランスポートチャネルを介してデータを送信するために移動端末と無線アクセスネットワークとの間に無線ベアラを確立し、上記無線ベアラに優先度を割り当てる処理手段を含む。更に、この移動端末は、無線ベアラに割り当てられた優先度と、無線ベアラの媒体アクセス制御エンティティにより使用される複数のスケジューリングモードの１つを指示する媒体アクセス制御エンティティに設定されたフラグとに基づきデータを送信する送信器を含む。
【０１１３】
上述の両移動端末は、上に概説された本発明の様々な実施の形態のいずれか１つによるデータ送信方法の工程を行なうように適合された手段を更に含むことができる。
【０１１４】
更に、本発明の別の実施の形態は、プロセッサにより実行されると、プロセッサに、データを移動端末から無線リンクを介して移動通信システムの無線アクセスネットワークに送信させる命令を格納するためのコンピュータ読取り可能な媒体に関する。プロセッサは、トランスポートチャネルを介してデータを送信するために移動端末と無線アクセスネットワークとの間に無線ベアラを確立し、移動端末内に含まれる媒体アクセス制御エンティティにより使用可能な複数の異なるスケジューリングモードのそれぞれに無線ベアラの優先度を割り当て、そして無線ベアラの媒体アクセス制御エンティティにより使用されるそれぞれのスケジューリングモードに割り当てられた優先度に基づきデータを送信することにより、データを送信する。
【０１１５】
プロセッサにより実行されると、プロセッサに、無線リンクを介してデータを移動端末から移動通信システムの無線アクセスネットワークに送信させる命令を格納するためのコンピュータ読取り可能な媒体。プロセッサは、トランスポートチャネルを介してデータを送信するために移動端末と無線アクセスネットワークとの間に無線ベアラを確立し、無線ベアラに優先度を割り当て、そして無線ベアラに割り当てられた優先度と、無線ベアラの媒体アクセス制御エンティティにより使用される複数のスケジューリングモードの１つを指示する媒体アクセス制御エンティティに設定されたフラグとに基づきデータを送信することにより、データを送信する。
【０１１６】
上記コンピュータ読取り可能な媒体は、プロセッサにより実行されると、上に概説された様々な実施の形態のいずれか１つによるデータ送信方法の工程をプロセッサに実行させる命令を更に格納することができる。
【発明を実施するための最良の形態】
【０１１７】
以下、添付図面を参照し本発明を更に詳細に説明する。各図面において同様の又は対応する細部には同一の参照符号が付与される。
【０１１８】
以下の段落では、本発明の様々な実施の形態を説明する。例示目的のみのために、大部分の実施の形態はＵＭＴＳ通信システムに関連して概説され、以降の節で使用される用語は主にＵＭＴＳ用語に関連する。但し、使用される用語と、ＵＭＴＳ構成に関する実施の形態の説明は、本発明の原理及び思想をこれらのシステムに限定するように意図するものではない。
【０１１９】
また、上記背景技術の中で示された詳細な説明は、以下に説明される主としてＵＭＴＳの特定の例示的な実施の形態をよりよく理解することを意図したものであり、従って本発明を、移動通信ネットワークにおける処理及び機能について説明された特定の実施の形態に限定するものと理解すべきではない。
【０１２０】
全般的に、本発明の原理は、分散構成を使用する任意の種類の移動通信システムに適用可能であり、例えば、優先度をベースとしたスケジューリングあるいはＴＦＣ選択に類似したメカニズムを使用するＩＭＴ−２０００フレームワークに基づいた通信システムに適用可能である。本発明はＥ−ＤＣＨ以外の個別チャネルにも適用可能である。
【０１２１】
本発明の実施の形態の一態様によれば、スケジューリングモードに応じて、アップリンク送信の異なる優先度の取扱が導入される。各スケジューリングモードに対し、個々の優先度を無線ベアラに割り当てることができる。データ送信を、現在使用されているスケジューリングモードに割り当てられた優先度に基づいて実行することができる。
【０１２２】
スケジューリングに対して適合されたＴＦＣ選択手順を使用することもできる。このＴＦＣ選択手順は、現在使用されているスケジューリングモードに基づき、無線ベアラのＴＦを選択するために使用される優先度を決定するように適合される。例えば、無線ベアラのデータがタイムアンドレート制御スケジューリングモードを使用することにより「スケジューリング」された場合、ＴＦＣ選択手順は、ＴＦＣ選択に、送信がタイム制御スケジューリングモードで行なわれる場合とは別の優先度（ＭＬＰ）をその無線ベアラに対して使用できる。
【０１２３】
この実施の形態の変形態様によれば、タイムアンドレート制御スケジューリングモードでの送信は、レート制御モードでの送信より高い優先度を有することができる。
【０１２４】
様々な論理チャネルが単一のトランスポートチャネルに多重化されるシステムに対しては、別の手法を使用できる。本ＴＦＣ選択手順は、このトランスポートチャネルのＴＦを（とりわけ）選択する。スケジューリングモードに基づく異なる優先度の取扱を導入するために、多重化は、様々な論理チャネルからのデータを、現在使用されているそれぞれのスケジューリングモードの優先度に基づいて多重化することができる。
【０１２５】
以下、本発明の様々な実施の形態について、Ｅ−ＤＣＨ上のデータ送信のためにＴＦＣ選択手順や無線ベアラ確立等に適用される改善を概説する。しかしながら、本発明がＥ−ＤＣＨの使用に限定されないことに留意されたい。
【０１２６】
先に概説したように、アップリンクにおけるＥ−ＤＣＨ上の効率的な送信のために、スケジューリングモードに応じた、Ｅ−ＤＣＨに対する異なる優先度の取扱がある。アップリンクにおいては、トランスポートチャネル間の物理チャネルデータレートの共有化は、ＴＦＣ選択により行われる。先に説明したように、ＴＦＣ選択は論理チャネル優先度に従って行うことができる。チャネル優先度は、例えば無線リソース制御（ＲＲＣ）によりシグナリングすることができる。
【０１２７】
高い優先度のデータの送信はＴＦＣ選択処理により最大化される。従来のＵＭＴＳシステムでは、ＭＡＣ論理チャネル優先度（ＭＬＰ）は無線ベアラセットアップ時に各論理チャネルに割り当てられる。論理チャネルのＭＬＰを変更するために、無線ベアラは、無線ベアラ再設定手順を使用することにより再設定される必要がある。
【０１２８】
スケジューリングモードに応じた異なる優先度の取扱を考慮に入れ、本発明の一実施の形態は、レート制御スケジューリングモードと、タイムアンドレート制御スケジューリングモードとに対して異なるＭＬＰを予測する。従来のＵＭＴＳシステムでは、スケジューリングモードの変更（すなわち、バッファ占有率に基づく）には、無線ベアラの再設定を必要とするが、この再設定は比較的遅く、そして大きなシグナリングオーバーヘッド（ＲＲＣシグナリング）を必要とする。
【０１２９】
本発明の一態様は、追加のＲＲＣシグナリングと、無線ベアラ再設定手順により生じる遅延とを回避することである。本発明の一実施の形態によれば、２つのＭＡＣ論理チャネル優先度（ＭＬＰ）が、ある無線ベアラに対して定義される。その無線ベアラは、Ｅ−ＤＣＨにマッピングすることができる。２という数は単に一例であることに注意すべきであるが、Ｅ−ＤＣＨに関しては２つのスケジューリングモードが存在し得る。通常、特定の無線ベアラに利用可能な各スケジューリングモードには、優先度をそれぞれ割り当てることができる。
【０１３０】
これら２つのＭＬＰは、例えば、Ｓ−ＲＮＣから送信された無線ベアラセットアップを使用することにより、無線ベアラセットアップ手順中に設定することができる。あるいは、別のシグナリングを定義して様々なスケジューリングモードの優先度をＵＥ（移動端末）に伝達してもよいし、あるいは優先度を少なくとも部分的にＵＥにより自発的に選択してもよい。
【０１３１】
例えば、１つのＭＬＰはレート制御モードに対応し、そして他のＭＬＰはタイムアンドレート制御モードに対応する。タイムアンドレート制御スケジューリングモードのＭＬＰは、レート制御モードより高く優先度を選択することができる。Ｒｅｌ９９／４／５では、ＭＡＣ論理チャネルの優先度は、情報要素（ＩＥ）「ＲＢマッピング情報」の中で定義される（非特許文献９を参照）。
【０１３２】
ＩＥ「ＲＢマッピング情報」からの例示的な抜粋である次の表では、第２のＩＥ「＞＞第２のＭＡＣ論理チャネル優先度」が、無線ベアラに割り当てられた第２のＭＬＰ値に対応して加えられる。この第２のＭＬＰは、タイムアンドレート制御モード（スケジューリングされた送信）における論理チャネルの優先度を指示することができ、一方、第１のＭＬＰは、レート制御モードにおける論理チャネルの優先度を指示することができる。別の実施の形態では、以下の表中に注記されるように、無線ベアラがＥ−ＤＣＨにマッピングされた場合に限り、新しいＩＥ「＞＞第２のＭＡＣ論理チャネル優先度」が設定される。同表は、異なるスケジューリングモードの優先度値の条件を定義する一例を提供するだけであることに留意されたい。
【０１３３】
【表１】
2007533276.tif 000003
【０１３４】
上表で示した例では、２つの優先度が無線ベアラに割り当てられている。すなわち、各スケジューリングモードに対し１つの優先度が割り当てられている。３つ以上のスケジューリングモードが存在する場合、「追加の」チャネル優先度を示す更に新しいＩＥを含むことができる。更に、ＩＥ内に示された優先度の、それぞれのスケジューリングモードに対するマッピングも定義することができる。更に、各スケジューリングモードの優先度は、無線ベアラをＥ−ＤＣＨ以外の個別チャネル上にマッピングするために使用することもできることに留意されたい。この場合、上表に示された「ＵＬ−ＲＢマッピング」条件はそれに応じて適合させる必要がある。
【０１３５】
Ｅ−ＤＣＨを介したデータ送信を考慮する場合、ＴＦＣ選択はＵＥのＭＡＣ−ｅエンティティにおいて行われる。現在ＵＭＴＳに標準化された従来の手順を上に説明した。本発明の実施の形態によれば、このＴＦＣ選択手順は次の点で改善される。すなわち、ＭＡＣ−ｅエンティティは、現在作動中のスケジューリングモードを判定することができ、そしてこの結果に基づき、ＭＡＣ−ｅエンティティは、ＴＦＣの選択を、無線ベアラのそれぞれについて、現在それが作動されるスケジューリングモードに割り当てられたＭＬＰに基づかせることができる。無線ベアラに対して、ＴＦは、それらのトランスポートチャネルに対し特定する必要がある。
【０１３６】
このように、スケジューリングモードに応じて、ＭＡＣ−ｅはＴＦＣ選択のために第１又は第２のＭＬＰのいずれかを使用できる。ＵＥ（ＭＡＣ−ｅ）は、スケジューリングモードを決定してもよいし（すなわち、送信すべきデータ量に基づく）、あるいはＵＥは、使用すべきスケジューリングモードに関するシグナリング（例えば、ノードＢからの）によって通知されてもよい。Ｅ−ＤＣＨ上にマッピングされる１つの無線ベアラに対し２つのＭＬＰを有することにより、ＭＬＰを変更するために無線ベアラの再設定を行う必要性が回避される。
【０１３７】
図１２は、上に説明した実施の形態による設定の例示的概要を示す。本実施例では、２つの無線ベアラがＵＥにおいて確立されたと仮定し、２つのＲＬＣエンティティ１２０１、１２０２が設定されている。本実施例によると、ＲＬＣエンティティ１２０１、１２０２のそれぞれは１つの論理チャネルで設定されている。各論理チャネルに２つのＭＬＰが割り当てられている。１つはタイムアンドレート制御スケジューリングモード用、もう１つはタイム制御スケジューリングモード用である。
【０１３８】
ＭＡＣエンティティ１２０３はＴＦＣ選択エンティティ１２０４を含む。ＴＦＣ選択エンティティは、異なる論理チャネルのＭＬＰを与えられており、ＭＡＣエンティティは、無線ベアラに対して使用されるスケジューリングモードに基づいて適切なＭＬＰ値を選択する。あるいは、ＴＦＣ選択エンティティ１２０４は、使用されるスケジューリングモードに応じて、ＴＦＣ選択のために使用される適切なＭＬＰを取得することができる。
【０１３９】
いずれにせよ、ＴＦＣ選択エンティティ１２０４は、論理チャネルの個々のＭＬＰに従ってＴＦＣを決定する。更に、ＴＦＣ情報は、物理レイヤエンティティ１２０５へ供給される。ＭＡＣエンティティ１２０３は更に、トランスポートチャネルを介して論理チャネルの送信データを物理レイヤエンティティ１２０５に供給し、物理レイヤエンティティ１２０５はＴＦＣ情報で指示されたＴＦを使用することによりデータを送信する。
【０１４０】
スケジューリングモードに応じて異なる優先度の値を使用する別の実施の形態の可能性を以下に概説する。本発明の別の実施の形態によれば、ＡＭ  ＲＬＣエンティティは、アップリンクにおける２つの（又は、３つ以上の）論理チャネルで設定することができる。インタラクティブ、バックグラウンド及びストリーミングのサービスは、Ｅ−ＤＣＨ上で送信できるので、ＲＬＣは、Ｅ−ＤＣＨを使用するサービスに対し応答モードで動作するものと考えられる。
【０１４１】
この実施の形態によれば、ＲＬＣは、ＭＡＣに利用可能な各スケジューリングモードに対して１つの論理チャネルにより設定することができ、従って、ある論理チャネルと、あるスケジューリングモードとの間の（静的な）マッピングを、各無線ベアラに対し維持することができる。各論理チャネルには個々のＭＬＰが割り当てられる。論理チャネルのＭＬＰは、例えばＲＲＣシグナリングにより設定することも、独立に設定することもできる。
【０１４２】
現在の仕様では、第２の論理チャネルは制御ＰＤＵの送信にのみ使用される。従って、両方の論理チャネル上でのデータＰＤＵの送信は許されない。この実施の形態によれば、Ｅ−ＤＣＨ送信に対する異なる優先度の取扱は、データ送信のために２つの論理チャネルを使用するＲＬＣエンティティを設定することにより達成することができる。
【０１４３】
１つの論理チャネルは、例えばレート制御モードの送信に使用され、他のものはタイムアンドレート制御スケジューリングモードの送信に使用される。２つの論理チャネルのＭＬＰは、無線ベアラセットアップ手順においてＳ−ＲＮＣにより、例えば無線ベアラセットアップメッセージ内のＩＥを使用することにより、設定することができる。上に概説したように、新たに定義されたメッセージにおけるＭＬＰのシグナリングを予測することも可能であろう。別の代替例は、１つのＭＬＰをシグナリングし、そして、例えばシグナリングされたＭＬＰに基づいて、ＵＥに残りのＭＬＰ値を自発的に選択させることである。
【０１４４】
タイムアンドレート制御スケジューリングモードの送信に使用される論理チャネルは、より高い優先度を有することができる。従って、そのＭＬＰは、他の論理チャネルのＭＬＰより低くなければならない。
【０１４５】
データ送信のために、ＭＡＣは、ＲＬＣに、スケジューリングモードに応じて第１又は第２の論理チャネルのいずれかでデータを送信するように要求する。これは、ＭＡＣとＲＬＣとの間で伝達されるプリミティブにより確立することができる。例えば、データをＭＡＣに転送できるレートを各論理チャネルのＲＬＣに指示するために一般的に使用されるＭＡＣ−Ｓｔａｔｕｓ−Ｉｎｄプリミティブを使用できる。ＭＡＣはそれぞれの論理チャネルを選択することができる。この論理チャネルを介して、データは、選択された論理チャネルの転送レートを所望の値に設定し、一方で他の論理チャネルの転送レートをゼロに設定することにより、ＲＬＣから供給することができる。
【０１４６】
この処理では、ＭＡＣは、（シグナリングにより）使用するように指示されたかあるいはデータ送信のために自身が選択した、無線ベアラのスケジューリングモードを判定し、使用されるスケジューリングモードに対応する論理チャネルをＲＬＣに指示することができる。論理チャネルには異なるＭＬＰが割り当てられ得るので、ＭＡＣは、ＴＦＣ選択のために適切なＭＬＰを自動的に考慮する。
【０１４７】
本発明の別の実施の形態では、当該無線ベアラと他の無線ベアラの論理チャネルは単一のトランスポートチャネルに多重化される。また、この実施の形態では、ＲＬＣエンティティを同様に設定することを予測することができる。スケジューリングのためにＲＬＣエンティティからのデータが供給されるべき論理チャネルを選択する（すなわち、前述のＴＦＣ選択）代わりに、ＭＡＣエンティティは、個々の論理チャネルに割り当てられた優先度に基づき、論理チャネルのデータを単一のトランスポートチャネルに多重化することができる。単一の無線ベアラの論理チャネルを用いてデータ供給を制御することにより、ＭＡＣエンティティは、スケジューリングモードに基づいて、異なる論理チャネルを多重化するために、異なる優先度を使用することができる。
【０１４８】
図１３は、無線ベアラ毎のデータ送信のためのＴＦＣ選択及び異なる論理チャネルの使用に関して、実施の形態により取られた手法を示す。２つの無線ベアラがＵＥにおいて確立されたと仮定し、２つのＲＬＣエンティティ１３０１、１３０２が設定されている。本実施例では、ＲＬＣエンティティ１３０１、１３０２のそれぞれは、データＰＤＵを運ぶための２つの論理チャネルと、それぞれのＲＬＣエンティティの各論理チャネルに対する１つのＭＬＰとで設定されている。ＭＡＣエンティティ１３０３は、データ送信のために適切なＴＦＣを選択するためのＴＦＣ選択エンティティ１３０４を含む。
【０１４９】
上述のように、ＭＡＣエンティティ１３０３は、ＲＬＣエンティティ＃１、＃２からのデータ（データＰＤＵ）が供給される転送レートを制御することができる。ある無線ベアラの２つの論理チャネルのそれぞれは個々のＭＬＰに関連付けられている。ＭＡＣエンティティ１３０３は、ＲＬＣエンティティ＃１又は＃２それぞれからのデータをスケジューリングするために、現在使用されるスケジューリングモードを決定する。それに応じ、例えば、ＲＬＣエンティティ＃１が、タイムアンドレート制御スケジューリングモードでは送信用論理チャネル＃１を介して、送信がレートスケジューリングモードで行なわれる場合は論理チャネル＃２を介して、データを供給するように、転送レートを設定することができる。アクティブ化された論理チャネルに応じて、ＭＡＣエンティティ１３０３は、ＴＦＣ選択エンティティ１３０４によるＴＦＣ選択のために割り当てられたそれぞれのＭＬＰ値を考慮する。
【０１５０】
ＴＦＣ選択エンティティ１３０４は、論理チャネルがマッピングされたトランスポートチャネルに対するＴＦを含むＴＦＣを決定する。そのＴＦＣ情報と送信されるべきデータとは、ＭＡＣエンティティ１３０３により、送信のために物理レイヤエンティティ１３０５に転送される。
【０１５１】
スケジューリングモードに応じた、Ｅ−ＤＣＨ送信のための異なる優先度の取扱を可能する本発明の別の実施の形態は、ＵＥ側でのＭＡＣ−ｅにおけるフラグの使用を予測する。このフラグは、スケジューリングモードに応じてＭＡＣ−ｅにより設定することができる。既に概説したように、スケジューリングモードは、明示的なシグナリングにより設定してもよいし、あるいはＵＥにより選択してもよい。Ｅ−ＤＣＨ上の送信がタイムアンドレート制御モードで行なわれる場合、フラグは１に設定される。レート制御モードでの送信に対しては、フラグは０に設定される。各無線ベアラのＲＬＣは、個々のＭＬＰにより設定可能なデータ送信のための１つ（又はそれより多く）の論理チャネルで設定することができる。Ｅ−ＤＣＨ上にマッピングされる各論理チャネルに関して、このようなフラグがＵＥ側のＭＡＣ−ｅ内に存在する。
【０１５２】
ＴＦＣ選択を行う際、ＵＥ内のＴＦＣ選択エンティティは、各論理チャネルについて、フラグが設定されているか否かを判定することができる。あるいは、ＭＡＣエンティティは、フラグと、異なる無線ベアラに割り当てられた優先度とに基づいて、異なる無線ベアラのデータを単一のトランスポートチャネルに多重化してもよい。
【０１５３】
１に設定されたフラグは、例えば、対応する論理チャネルが、アップリンクにおける（他の論理チャネル上の）他の同時トラフィックに対して優先されなければならないということを、ＴＦＣ選択エンティティに指示することができる。この実施の形態の変形態様は、（通常はＲＲＣシグナリングであるＤＣＣＨ上のトラフィックと通話サービス（conversational services）とがタイムアンドレート制御スケジューリングモードのＥ−ＤＣＨ送信より高い優先度を有しなければならないことを予測する。
【０１５４】
論理チャネルのフラグが設定されていない場合（レート制御モードを示す）、ＴＦＣ選択は、論理チャネルに対し設定された優先度に基づいて行うことができる。
【０１５５】
現在使用されているスケジューリングモードを指示するフラグを使用する場合、無線ベアラの論理チャネルは、可能な各スケジューリングモードのＭＬＰにより設定することができ、そのフラグに基づいて、ＭＡＣは、ＴＦＣ選択のために適切なＭＬＰ値を使用することができる。また、無線ベアラの論理チャネルを各論理チャネルのただ１つのＭＬＰ値により設定し、ＭＡＣが、その設定ＭＬＰと、フラグにより指示されたスケジューリングモードとに基づき、ＴＦＣ選択に使用する適切なＭＬＰを決定するようにしてもよい。
【０１５６】
例えば、無線ベアラの論理チャネルを、レートスケジューリングモードでのＴＦＣ選択に使用されるＭＬＰ値に相当するＭＬＰ＝４で設定することができる。フラグが、無線ベアラのデータをスケジューリングするためのタイムアンドレートスケジューリングモードの使用を指示した場合、ＭＡＣエンティティは、ＴＦＣ選択用のＭＬＰ値を、設定された４のＭＬＰマイナス１に設定することができる。
【０１５７】
このような例を図１４に示す。２つの無線ベアラがＵＥにおいて確立されていると仮定し、２つのＲＬＣエンティティ１４０１、１４０２が設定されている。本実施例では、ＲＬＣエンティティ１４０１、１４０２のそれぞれは、１つの論理チャネルと、それぞれのＲＬＣエンティティの論理チャネルについての１つのＭＬＰ値とにより設定されている。ＭＡＣエンティティ１４０３は、ＭＬＰ計算器１４０６とＴＦＣ選択エンティティ１４０４とを含む。
【０１５８】
上述のように、ＭＬＰ計算器１４０６は、論理チャネルのデータに対して使用されるそれぞれのスケジューリングモードを決定するために、論理チャネル＃１、＃２それぞれを介して受信されたデータのスケジューリングモードを指示するフラグ＃１、＃２の値を求める。フラグがタイムアンドレートスケジューリングモードの使用を指示すると判定された場合、それぞれの論理チャネルの設定ＭＬＰは、より高い優先度に変更される。そうでない場合、設定されたＭＬＰ値が論理チャネルに使用される。
【０１５９】
次に、個々の論理チャネルに対して決定されたＭＬＰは、ＴＦＣ選択エンティティ１４０４に渡され、ＴＦＣ選択エンティティ１４０４は、論理チャネルがマッピングされるトランスポートチャネルのＴＦを含むＴＦＣを決定する。このＴＦＣ情報と送信すべきデータとは、ＭＡＣエンティティ１４０３により、送信のために物理レイヤエンティティ１４０５に転送される。
【０１６０】
上に説明された本発明の実施の形態では、各無線ベアラはそれ自身のトランスポートチャネルにマッピングされる。本発明の別の実施の形態では、幾つかの論理チャネルが１つのトランスポートチャネルにマッピングされる。既に述べたように、ＭＡＣエンティティは、ＴＦＣ選択中に各トランスポートチャネルに対し適切なトランスポートフォーマットを選択することができ、更に、対応する送信時間間隔中に、関連するトランスポートチャネル上で送信すべき各論理チャネルのデータ量を選択することができる。
【０１６１】
本発明のこの実施の形態によれば、複数の論理チャネル又はデータフローは、単一のトランスポートチャネル（例えばＥ−ＤＣＨ）上に一緒に多重化できる。多重化はＭＡＣエンティティにおいて行われる。各論理チャネルのレート又はデータフローは、上記実施の形態において説明されたＴＦＣ選択手順と同様な方法で制御される。多重化は、各論理チャネル（それぞれのデータフロー）の論理チャネル優先度に基づいて行われる。現在使用されるスケジューリングモードに応じて、ＭＡＣは、異なるチャネルのデータをトランスポートチャネルに多重化するために適切なＭＬＰを考慮する。
【０１６２】
図１５は、本発明の１つの例示的実施の形態によるスケジューリングモードに基づきデータ送信に優先度を付けるための、移動端末内のＲＬＣ、ＭＡＣ及び物理チャネルエンティティの間の関係を示す。各無線ベアラは、ＲＬＣエンティティ＃１（１５０１）、＃２（１５０１）、及び論理チャネル＃１、＃２によりそれぞれ設定される。各ＲＬＣエンティティには、利用可能な各スケジューリングモードに対し２つの優先度が割り当てられている。
【０１６３】
送信データは、論理チャネルを介してＭＡＣエンティティ１５０３に、より具体的にはチャネルマルチプレクサ１５０６に供給される。スケジューリングモードに応じて、チャネルマルチプレクサ１５０６は、各ベアラに対し適切なＭＬＰを選択し、それに基づいて各論理チャネルからトランスポートチャネル＃１に多重化されるべきデータの量を決定する。
【０１６４】
更に、ＴＦＣ選択エンティティ１５０４は、多重化データをそのトランスポートチャネルで送信するための、また、供給された他の無線ベアラのデータを個々のトランスポートチャネルを介して送信するための、適切なＴＦＣを選択する（それらが存在する場合）。このＴＦＣ情報は、ＭＡＣエンティティ１５０３から物理レイヤエンティティ１５０５に供給され、物理レイヤエンティティ１５０５はそのデータを送信する。
【０１６５】
将来のＵＴＲＡＮ構成は、更に多くのインテリジェンス（拡張された制御及び管理機能）の提供がネットワークの端まで、例えばノードＢ（基地局）まで推進されることを想定している。これを行う１つの理由は、ＲＮＣが現在引き起こしているシングルポイント障害を除去することである。本発明の基本思想は、進化型（evloved）ＵＴＲＡＮ構成でも使用できることを更に注記する。異なる基本ＵＴＲＡＮ構成により示唆される主要な変更は、ＵＥとＲＮＣとの間の大抵の通信が、将来の構成ではＵＥとノードＢとの間のものとなること（例えば、ＲＲＣ機能をＲＮＣからノードＢへ移す場合）かもしれない。
【０１６６】
本発明の別の実施の形態は、ハードウェアとソフトウェアとを使用することにより上述の様々な実施の形態を実施することと関連する。上述の様々な方法だけでなく、上述の様々な論理ブロック、モジュール及び回路は、例えば汎用プロセッサ、デジタル信号プロセサ（ＤＳＰ）、特定用途向けＩＣ（ＡＳＩＣ）、フィールドプログラマブルゲートアレイ（ＦＰＧＡ）又は他のプログラム可能な論理デバイス等のコンピュータ装置を使用することにより、実施又は実行できることが理解できる。また、本発明の様々な実施の形態は、これらの装置の組み合わせにより実行又は具現化できる。
【０１６７】
更に、本発明の様々な実施の形態は、プロセッサにより実行されるソフトウェアモジュールにより、又は直接にハードウェアにおいて実施できる。また、ソフトウェアモジュールとハードウェア実装とを組み合わせることが可能である。上記ソフトウェアモジュールは、例えばＲＡＭ、ＥＰＲＯＭ、ＥＥＰＲＯＭ、フラッシュメモリ、レジスタ、ハードディスク、ＣＤ−ＲＯＭ、ＤＶＤ等の任意の種類のコンピュータ読取り可能な記憶媒体に格納することができる。
【図面の簡単な説明】
【０１６８】
【図１】ＵＭＴＳの上位レベルの構成
【図２】ＵＭＴＳ  Ｒ９９／４／５に基づくＵＴＲＡＮの構成
【図３】サービング及びドリフトネットワークサブシステムの構成の概要
【図４】ＵＥ側におけるＥ−ＤＣＨ  ＭＡＣ構成の全体
【図５】移動端末（ＵＥ）内のＭＡＣ−ｅｕ構成
【図６】ＵＴＲＡＮのノードＢにおけるＭＡＣ−ｅｕ構成
【図７】ＵＴＲＡＮにおけるサービングＲＮＣのＭＡＣ−ｅｕ
【図８】ノードＢ制御スケジューリングのＴＦＣセット
【図９】タイムアンドレート制御スケジューリングモードのメッセージフロー
【図１０】移動端末（ＵＥ）における例示的なＴＦＣ選択手順
【図１１】個別物理チャネルの起動による無線ベアラ確立手順
【図１２】本発明の様々な例示的な実施の形態によるスケジューリングモードに基づいてデータ送信に優先度を与えるための移動端末内のＲＬＣ、ＭＡＣ、及び物理チャネルエンティティ間の関係
【図１３】本発明の様々な例示的な実施の形態によるスケジューリングモードに基づいてデータ送信に優先度を与えるための移動端末内のＲＬＣ、ＭＡＣ、及び物理チャネルエンティティ間の関係
【図１４】本発明の様々な例示的な実施の形態によるスケジューリングモードに基づいてデータ送信に優先度を与えるための移動端末内のＲＬＣ、ＭＡＣ、及び物理チャネルエンティティ間の関係
【図１５】本発明の様々な例示的な実施の形態によるスケジューリングモードに基づいてデータ送信に優先度を与えるための移動端末内のＲＬＣ、ＭＡＣ、及び物理チャネルエンティティ間の関係
【図１】
2007533276.tif 000004
【図２】
2007533276.tif 000005
【図３】
2007533276.tif 000006
【図４】
2007533276.tif 000007
【図５】
2007533276.tif 000008
【図６】
2007533276.tif 000009
【図７】
2007533276.tif 000010
【図８】
2007533276.tif 000011
【図９】
2007533276.tif 000012
【図１０】
2007533276.tif 000013
【図１１】
2007533276.tif 000014
【図１２】
2007533276.tif 000015
【図１３】
2007533276.tif 000016
【図１４】
2007533276.tif 000017
【図１５】
2007533276.tif 000018
【手続補正書】
【提出日】平成18年10月19日(2006.10.19)
【手続補正１】
【補正対象書類名】特許請求の範囲
【補正対象項目名】全文
【補正方法】変更
【補正の内容】
【特許請求の範囲】
【請求項１】
移動通信システムにおいてデータを送信するデータ送信方法であって、
移動端末と無線アクセスネットワークとの間に無線ベアラを確立する工程と、
前記無線アクセスネットワークから、トランスポートチャネルにマッピングされる論理チャネルに割り当てられた優先度と、前記論理チャネルの、複数のスケジューリングモードの１つとを示す情報を受信する工程と、
受信した前記情報に基づき、前記無線ベアラを前記論理チャネルにマッピングする工程と、
前記データを、前記トランスポートチャネルを介して送信する工程と、を含むデータ送信方法。
【請求項２】
前記データを送信するために使用されるトランスポートフォーマットコンビネーションを、少なくとも前記優先度に基づき、選択する工程を更に含む、請求項１記載のデータ送信方法。
【請求項３】
少なくとも前記優先度に基づき、前記トランスポートチャネルに前記データを多重化する工程を更に含む、請求項１または請求項２記載のデータ送信方法。
【請求項４】
示された前記スケジューリングモードに従って、フラグを設定する工程を更に含む、請求項１から請求項３のいずれかに記載のデータ送信方法。
【請求項５】
前記トランスポートフォーマットコンビネーションは、前記論理チャネルのスケジューリングモードに従って設定されたフラグと前記優先度とに基づいて選択される、請求項２記載のデータ送信方法。
【請求項６】
前記データは、前記論理チャネルのスケジューリングモードに従って設定されたフラグと前記優先度とに基づいて、前記トランスポートチャネルに多重化される、請求項３記載のデータ送信方法。
【請求項７】
前記無線アクセスネットワークから、前記無線ベアラのスケジューリングモードを示すシグナリング情報を受信する工程を更に含む、請求項１から請求項６のいずれかに記載のデータ送信方法。
【請求項８】
前記論理チャネルのスケジューリングモードに従って設定されたフラグが、前記論理チャネルのデータ送信を優先するかどうかを示す、請求項１から請求項７のいずれかに記載のデータ送信方法。
【請求項９】
前記データは、個別アップリンクチャネルで送信される、請求項１から請求項８のいずれかに記載のデータ送信方法。
【請求項１０】
前記無線ベアラは、それぞれに優先度が割り当てられた少なくとも２つの論理チャネルにマッピングされる、請求項１から請求項９のいずれかに記載のデータ送信方法。
【請求項１１】
前記複数のスケジューリングモードは、レート制御スケジューリングモードとタイムアンドレート制御スケジューリングモードとを含む、請求項１から請求項１０のいずれかに記載のデータ送信方法。
【請求項１２】
移動端末と無線アクセスネットワークとの間に無線ベアラを確立する処理手段と、
前記無線アクセスネットワークから、トランスポートチャネルにマッピングされる論理チャネルに割り当てられた優先度と、前記論理チャネルの、複数のスケジューリングモードの１つとを示す情報を受信する受信手段と、
受信した前記情報に基づき、前記無線ベアラを前記論理チャネルにマッピングするマッピング手段と、
前記データを、前記トランスポートチャネルを介して送信する送信手段と、を含む移動端末。
【請求項１３】
前記データを送信するために使用されるトランスポートフォーマットコンビネーションを、少なくとも前記優先度に基づき、選択する選択手段を更に含む、請求項１２記載の移動端末。
【請求項１４】
前記送信手段は、少なくとも前記優先度に基づき、前記トランスポートチャネルに前記データを多重化して送信する、請求項１２または請求項１３記載の移動端末。
【請求項１５】
示された前記スケジューリングモードに従って、フラグを設定する設定手段を更に含む、請求項１２から請求項１４のいずれかに記載の移動端末。
【請求項１６】
前記選択手段は、前記論理チャネルのスケジューリングモードに従って設定されたフラグと前記優先度とに基づいて、前記トランスポートフォーマットコンビネーションを選択する、請求項１３記載の移動端末。
【請求項１７】
前記送信手段は、前記論理チャネルのスケジューリングモードに従って設定されたフラグと前記優先度とに基づいて、前記トランスポートチャネルに前記データを多重化して送信する、請求項１４記載の移動端末。
【請求項１８】
前記受信手段は、前記無線アクセスネットワークから、前記無線ベアラのスケジューリングモードを示すシグナリング情報を受信する、請求項１２から請求項１７のいずれかに記載の移動端末。
【請求項１９】
前記論理チャネルのスケジューリングモードに従って設定されたフラグが、前記論理チャネルのデータ送信を優先するかどうかを示す、請求項１２から請求項１８のいずれかに記載の移動端末。
【請求項２０】
前記送信手段は、前記データを、個別アップリンクチャネルで送信する、請求項１２から請求項１９のいずれかに記載の移動端末。
【請求項２１】
前記マッピング手段は、前記無線ベアラを、それぞれに優先度が割り当てられた少なくとも２つの論理チャネルにマッピングする、請求項１２から請求項２０のいずれかに記載の移動端末。
【請求項２２】
前記複数のスケジューリングモードは、レート制御スケジューリングモードとタイムアンドレート制御スケジューリングモードとを含む、請求項１２から請求項２１のいずれかに記載の移動端末。
【請求項２３】
移動通信システムにおいてデータ送信を実行するための命令を格納したコンピュータ読み取り可能な記録媒体であって、前記データ送信は、
移動端末と無線アクセスネットワークとの間に無線ベアラを確立し、
前記無線アクセスネットワークから、トランスポートチャネルにマッピングされる論理チャネルに割り当てられた優先度と、前記論理チャネルの、複数のスケジューリングモードの１つとを示す情報を受信し、
受信した前記情報に基づき、前記無線ベアラを前記論理チャネルにマッピングし、
前記データを、前記トランスポートチャネルを介して送信する、ことにより実行される、記録媒体。
【手続補正２】
【補正対象書類名】明細書
【補正対象項目名】００８８
【補正方法】変更
【補正の内容】
【００８８】
本発明の実施の形態によれば、移動端末から移動通信システムの無線アクセスネットワークにデータを送信する方法が提供される。
【手続補正３】
【補正対象書類名】明細書
【補正対象項目名】００８９
【補正方法】変更
【補正の内容】
【００８９】
本発明のデータ送信方法は、移動端末と無線アクセスネットワークとの間に無線ベアラを確立する工程と、前記無線アクセスネットワークから、トランスポートチャネルにマッピングされる論理チャネルに割り当てられた優先度と、前記論理チャネルの、複数のスケジューリングモードの１つとを示す情報を受信する工程と、受信した前記情報に基づき、前記無線ベアラを前記論理チャネルにマッピングする工程と、前記データを、前記トランスポートチャネルを介して送信する工程と、を含む。
【手続補正４】
【補正対象書類名】明細書
【補正対象項目名】００９０
【補正方法】変更
【補正の内容】
【００９０】
この方法では、スケジューリングモードと優先度とに応じた送信の異なる取扱が提供される。
【手続補正５】
【補正対象書類名】明細書
【補正対象項目名】００９１
【補正方法】変更
【補正の内容】
【００９１】
別の実施の形態によれば、少なくとも、論理チャネルに割り当てられた優先度に基づき、トランスポートフォーマットコンビネーションを選択することができ、ここで、トランスポートフォーマットコンビネーションは、トランスポートチャネルを介してデータを送信するために使用されるトランスポートフォーマットを含む。送信工程では、データはトランスポートフォーマットを使用して送信できる。この実施の形態は、論理チャネルの優先度に応じた、ＴＦＣの選択とデータ送信の優先度決定を如何にして達成できるかについての１つの可能性を提供する。
【手続補正６】
【補正対象書類名】明細書
【補正対象項目名】００９２
【補正方法】変更
【補正の内容】
【００９２】
本発明の別の実施の形態による他の可能な実施態様は、少なくとも、論理チャネルに割り当てられた優先度に基づき、前記トランスポートチャネルに前記データを多重化し、ある無線ベアラと他の無線ベアラとのデータが１つのトランスポートチャネルを介して送信される状況に適用可能である。この状況では、論理チャネルの優先度に応じて、これらの無線ベアラのデータをトランスポートチャネルに多重化することができる。
【手続補正７】
【補正対象書類名】明細書
【補正対象項目名】００９３
【補正方法】変更
【補正の内容】
【００９３】
この実施の形態の変形態様では、少なくとも、論理チャネルに割り当てられた優先度に基づき、トランスポートチャネルのトランスポートフォーマットコンビネーションを選択し、そのトランスポートフォーマットを使用することにより多重化されたデータを送信することができる。
【手続補正８】
【補正対象書類名】明細書
【補正対象項目名】００９４
【補正方法】変更
【補正の内容】
【００９４】
実施の形態の別の変形態様では、優先度は無線ベアラの確立中に割り当てることができる。
【手続補正９】
【補正対象書類名】明細書
【補正対象項目名】００９５
【補正方法】変更
【補正の内容】
【００９５】
本発明の一実施の形態では、無線ベアラ制御メッセージは無線アクセスネットワークから送信することができる。この無線ベアラ制御メッセージは、スケジューリングモードや論理チャネルの優先度含む複数の情報要素を含む。この無線ベアラ制御メッセージは、例えば無線ベアラセットアップメッセージ又は無線ベアラ再設定メッセージである。この実施の形態の変形態様では、複数の情報要素は情報要素「ＲＢマッピング情報」内に含むことができる。
【手続補正１０】
【補正対象書類名】明細書
【補正対象項目名】００９６
【補正方法】変更
【補正の内容】
【００９６】
この実施の形態の一態様では、移動端末は、無線ベアラ制御メッセージにおいて受信された複数の情報要素に従って、無線ベアラを確立することができる。この実施の形態によれば、移動端末は、無線アクセスネットワーク（例えばＲＮＣ）から、利用可能なスケジューリングモード等の情報を受信することができ、確立された無線ベアラをそれに従って設定できる。
【手続補正１１】
【補正対象書類名】明細書
【補正対象項目名】００９７
【補正方法】変更
【補正の内容】
【００９７】
本発明の別の実施の形態では、スケジューリングモードに従ってフラグを設定する工程を更に含む。また、トランスポートフォーマットコンビネーションは、論理チャネルのスケジューリングモードに従って設定されたフラグと前記優先度とに基づいて、トランスポートフォーマットコンビネーション選択される。さらには、データは、論理チャネルのスケジューリングモードに従って設定されたフラグと優先度とに基づいて、トランスポートチャネルに多重化される。
【手続補正１２】
【補正対象書類名】明細書
【補正対象項目名】００９８
【補正方法】変更
【補正の内容】
【００９８】
本発明の一実施の形態では、複数の論理チャネルを設定することができ、無線ベアラは、それぞれに優先度が割り当てられた少なくとも２つの論理チャネルにマッピングされる。従って、この実施の形態によれば、ユーザデータ伝送のための２つ以上の論理チャネルを設定することができ、個々の優先度が論理チャネルに割り当てられる。
【手続補正１３】
【補正対象書類名】明細書
【補正対象項目名】００９９
【補正方法】変更
【補正の内容】
【００９９】
別の実施の形態では、データは、そのデータを送信するためにスケジューリングモードに関連付けられた論理チャネルを介して供給することができる。この実施の形態の変形態様では、２つの論理チャネルを設定することができ、２つの論理チャネルのそれぞれは、使用される２つの異なるスケジューリングモードの１つに関連付けることができる。そして、現在使用されているスケジューリングモードに応じて、データを第１又は第２の論理チャネルを介して供給することができる。
【手続補正１４】
【補正対象書類名】明細書
【補正対象項目名】０１００
【補正方法】変更
【補正の内容】
【０１００】
本発明の別の実施の形態は、無線アクセスネットワークから、前記無線ベアラのスケジューリングモードを示すシグナリング情報を受信する工程を更に含む。
【手続補正１５】
【補正対象書類名】明細書
【補正対象項目名】０１０１
【補正方法】変更
【補正の内容】
【０１０１】
また、本発明の別の実施の形態は、論理チャネルのスケジューリングモードに従って設定されたフラグが、論理チャネルのデータ送信を優先するかどうかを示す。
【手続補正１６】
【補正対象書類名】明細書
【補正対象項目名】０１０２
【補正方法】変更
【補正の内容】
【０１０２】
本発明の一実施の形態では、複数のスケジューリングモードは、レート制御スケジューリングモードとタイムアンドレート制御スケジューリングモードとを含む。
【手続補正１７】
【補正対象書類名】明細書
【補正対象項目名】０１０３
【補正方法】変更
【補正の内容】
【０１０３】
また、本発明の一実施の形態では、データは、個別アップリンクチャネルで送信される。
【手続補正１８】
【補正対象書類名】明細書
【補正対象項目名】０１０４
【補正方法】変更
【補正の内容】
【０１０４】
更に、本発明の別の実施の形態では、移動通信システムの無線アクセスネットワークにデータを送信する移動端末を提供する。
【手続補正１９】
【補正対象書類名】明細書
【補正対象項目名】０１０５
【補正方法】変更
【補正の内容】
【０１０５】
本発明の移動端末は、移動端末と無線アクセスネットワークとの間に無線ベアラを確立する処理手段と、前記無線アクセスネットワークから、トランスポートチャネルにマッピングされる論理チャネルに割り当てられた優先度と、前記論理チャネルの、複数のスケジューリングモードの１つとを示す情報を受信する受信手段と、受信した前記情報に基づき、前記無線ベアラを前記論理チャネルにマッピングするマッピング手段と、前記データを、前記トランスポートチャネルを介して送信する送信手段と、を含む。
【手続補正２０】
【補正対象書類名】明細書
【補正対象項目名】０１０６
【補正方法】変更
【補正の内容】
【０１０６】
本発明の別の実施の形態では、データを送信するために使用されるトランスポートフォーマットコンビネーションを、少なくとも、論理チャネルに割り当てられた優先度に基づき、選択する選択手段を更に含む。このトランスポートフォーマットコンビネーションは、トランスポートチャネルを介してデータを送信するために使用されるトランスポートフォーマットを含む。また、別の実施の形態では、送信手段は、少なくとも、論理チャネルに割り当てられた優先度に基づき、トランスポートチャネルにデータを多重化して送信する。さらに、選択されたトランスポートフォーマットを使用して多重データを送信することができる。
【手続補正２１】
【補正対象書類名】明細書
【補正対象項目名】０１０７
【補正方法】変更
【補正の内容】
【０１０７】
別の実施の形態では、スケジューリングモードに従ってフラグを設定する設定手段を更に含む。論理チャネルのスケジューリングモードに従って設定されたフラグと論理チャネルに割り当てられた優先度とに基づいて、トランスポートフォーマットコンビネーションを選択し、あるいは、このフラグと論理チャネルに割り当てられた優先度とに基づいて、トランスポートチャネルにデータを多重化して送信することもできる。また、本発明の一実施の形態では、フラグが設定された場合、割り当てられた優先度より高い優先度が使用され、そしてフラグが設定されなかった場合、割り当てられた優先度が使用される。
【手続補正２２】
【補正対象書類名】明細書
【補正対象項目名】０１０８
【補正方法】変更
【補正の内容】
【０１０８】
更に、本発明の一実施の形態では、フラグは、例えばレート制御スケジューリングモード、又はタイムアンドレート制御スケジューリングモードを使用するかどうかを示す。また、本発明の一実施の形態では、論理チャネルのスケジューリングモードに従って設定されたフラグが、論理チャネルのデータ送信を優先するかどうかを示す。
【手続補正２３】
【補正対象書類名】明細書
【補正対象項目名】０１０９
【補正方法】変更
【補正の内容】
【０１０９】
本発明の一実施の形態では、複数のスケジューリングモードは、レート制御スケジューリングモードとタイムアンドレート制御スケジューリングモードとを含む。また、この実施の形態の一態様は、レート制御スケジューリングモードはタイムアンドレート制御スケジューリングモードより低い優先度を割り当てられる。
【手続補正２４】
【補正対象書類名】明細書
【補正対象項目名】０１１０
【補正方法】変更
【補正の内容】
【０１１０】
更に、本発明の一実施の形態では、送信手段は、データを、個別アップリンクチャネルで送信する。
【手続補正２５】
【補正対象書類名】明細書
【補正対象項目名】０１１１
【補正方法】変更
【補正の内容】
【０１１１】
本発明の別の実施の形態は、受信手段が、無線アクセスネットワークから、無線ベアラのスケジューリングモードを示すシグナリング情報を受信する。
【手続補正２６】
【補正対象書類名】明細書
【補正対象項目名】０１１２
【補正方法】変更
【補正の内容】
【０１１２】
本発明の一実施の形態は、マッピング手段が、無線ベアラを、それぞれに優先度が割り当てられた少なくとも２つの論理チャネルにマッピングする。
【手続補正２７】
【補正対象書類名】明細書
【補正対象項目名】０１１３
【補正方法】変更
【補正の内容】
【０１１３】
上述の移動端末は、上に概説された本発明のデータ送信方法の様々な実施の形態のいずれか１つを行なうように適合された手段を含むことができる。
【手続補正２８】
【補正対象書類名】明細書
【補正対象項目名】０１１４
【補正方法】変更
【補正の内容】
【０１１４】
更に、本発明の別の実施の形態は、プロセッサにより実行され、移動端末から無線リンクを介して移動通信システムの無線アクセスネットワークにデータを送信させるための命令を格納したコンピュータ読取り可能な媒体に関する。
【手続補正２９】
【補正対象書類名】明細書
【補正対象項目名】０１１５
【補正方法】変更
【補正の内容】
【０１１５】
本発明の記録媒体は、移動通信システムにおいてデータ送信を実行するための命令を格納したコンピュータ読み取り可能な記録媒体であって、前記データ送信は、移動端末と無線アクセスネットワークとの間に無線ベアラを確立し、前記無線アクセスネットワークから、トランスポートチャネルにマッピングされる論理チャネルに割り当てられた優先度と、前記論理チャネルの、複数のスケジューリングモードの１つとを示す情報を受信し、受信した前記情報に基づき、前記無線ベアラを前記論理チャネルにマッピングし、前記データを、前記トランスポートチャネルを介して送信する、ことにより実行される。
【手続補正３０】
【補正対象書類名】明細書
【補正対象項目名】０１１６
【補正方法】変更
【補正の内容】
【０１１６】
上記コンピュータ読取り可能な媒体は、上に概説された様々な実施の形態のいずれか１つをプロセッサに実行させる命令を格納することができる。
【手続補正書】
【提出日】平成19年6月18日(2007.6.18)
【手続補正１】
【補正対象書類名】特許請求の範囲
【補正対象項目名】全文
【補正方法】変更
【補正の内容】
【特許請求の範囲】
【請求項１】
移動通信システムにおいてデータを送信するデータ送信方法であって、
移動端末と無線アクセスネットワークとの間に無線ベアラを確立する工程と、
前記移動端末が、前記無線アクセスネットワークから、トランスポートチャネルにマッピングされる論理チャネルに割り当てられた優先度を示す情報と、前記論理チャネルの、複数のスケジューリングモードの１つを示す情報とを受信する工程と、
受信した前記情報に基づき、前記無線ベアラを前記論理チャネルにマッピングする工程と、
前記移動端末が、前記データを、前記トランスポートチャネルを介して送信する工程と、を含むデータ送信方法。
【請求項２】
前記データを送信するために使用されるトランスポートフォーマットコンビネーションを、少なくとも前記優先度に基づき、選択する工程を更に含む、請求項１記載のデータ送信方法。
【請求項３】
少なくとも前記優先度に基づき、前記トランスポートチャネルに前記データを多重化する工程を更に含む、請求項１または請求項２記載のデータ送信方法。
【請求項４】
示された前記スケジューリングモードに従って、フラグを設定する工程を更に含む、請求項１から請求項３のいずれかに記載のデータ送信方法。
【請求項５】
前記トランスポートフォーマットコンビネーションは、前記論理チャネルのスケジューリングモードに従って設定されたフラグと前記優先度とに基づいて選択される、請求項２記載のデータ送信方法。
【請求項６】
前記データは、前記論理チャネルのスケジューリングモードに従って設定されたフラグと前記優先度とに基づいて、前記トランスポートチャネルに多重化される、請求項３記載のデータ送信方法。
【請求項７】
前記無線アクセスネットワークから、前記無線ベアラのスケジューリングモードを示すシグナリング情報を受信する工程を更に含む、請求項１から請求項６のいずれかに記載のデータ送信方法。
【請求項８】
前記論理チャネルのスケジューリングモードに従って設定されたフラグが、前記論理チャネルのデータ送信を優先するかどうかを示す、請求項１から請求項７のいずれかに記載のデータ送信方法。
【請求項９】
前記データは、個別アップリンクチャネルで送信される、請求項１から請求項８のいずれかに記載のデータ送信方法。
【請求項１０】
前記無線ベアラは、それぞれに優先度が割り当てられた少なくとも２つの論理チャネルにマッピングされる、請求項１から請求項９のいずれかに記載のデータ送信方法。
【請求項１１】
前記複数のスケジューリングモードは、レート制御スケジューリングモードとタイムアンドレート制御スケジューリングモードとを含む、請求項１から請求項１０のいずれかに記載のデータ送信方法。
【請求項１２】
移動端末と無線アクセスネットワークとの間に無線ベアラを確立する処理手段と、
前記無線アクセスネットワークから、トランスポートチャネルにマッピングされる論理チャネルに割り当てられた優先度を示す情報と、前記論理チャネルの、複数のスケジューリングモードの１つを示す情報とを受信する受信手段と、
受信した前記情報に基づき、前記無線ベアラを前記論理チャネルにマッピングするマッピング手段と、
前記データを、前記トランスポートチャネルを介して送信する送信手段と、を含む移動端末。
【請求項１３】
前記データを送信するために使用されるトランスポートフォーマットコンビネーションを、少なくとも前記優先度に基づき、選択する選択手段を更に含む、請求項１２記載の移動端末。
【請求項１４】
前記送信手段は、少なくとも前記優先度に基づき、前記トランスポートチャネルに前記データを多重化して送信する、請求項１２または請求項１３記載の移動端末。
【請求項１５】
示された前記スケジューリングモードに従って、フラグを設定する設定手段を更に含む、請求項１２から請求項１４のいずれかに記載の移動端末。
【請求項１６】
前記選択手段は、前記論理チャネルのスケジューリングモードに従って設定されたフラグと前記優先度とに基づいて、前記トランスポートフォーマットコンビネーションを選択する、請求項１３記載の移動端末。
【請求項１７】
前記送信手段は、前記論理チャネルのスケジューリングモードに従って設定されたフラグと前記優先度とに基づいて、前記トランスポートチャネルに前記データを多重化して送信する、請求項１４記載の移動端末。
【請求項１８】
前記受信手段は、前記無線アクセスネットワークから、前記無線ベアラのスケジューリングモードを示すシグナリング情報を受信する、請求項１２から請求項１７のいずれかに記載の移動端末。
【請求項１９】
前記論理チャネルのスケジューリングモードに従って設定されたフラグが、前記論理チャネルのデータ送信を優先するかどうかを示す、請求項１２から請求項１８のいずれかに記載の移動端末。
【請求項２０】
前記送信手段は、前記データを、個別アップリンクチャネルで送信する、請求項１２から請求項１９のいずれかに記載の移動端末。
【請求項２１】
前記マッピング手段は、前記無線ベアラを、それぞれに優先度が割り当てられた少なくとも２つの論理チャネルにマッピングする、請求項１２から請求項２０のいずれかに記載の移動端末。
【請求項２２】
前記複数のスケジューリングモードは、レート制御スケジューリングモードとタイムアンドレート制御スケジューリングモードとを含む、請求項１２から請求項２１のいずれかに記載の移動端末。
【請求項２３】
移動通信システムにおいてデータ送信を実行するための命令を格納したコンピュータ読み取り可能な記録媒体であって、前記データ送信は、
移動端末と無線アクセスネットワークとの間に無線ベアラを確立し、
前記移動端末が、前記無線アクセスネットワークから、トランスポートチャネルにマッピングされる論理チャネルに割り当てられた優先度を示す情報と、前記論理チャネルの、複数のスケジューリングモードの１つを示す情報とを受信し、
受信した前記情報に基づき、前記無線ベアラを前記論理チャネルにマッピングし、
前記移動端末が、前記データを、前記トランスポートチャネルを介して送信する、ことにより実行される、記録媒体。
【手続補正２】
【補正対象書類名】明細書
【補正対象項目名】００８９
【補正方法】変更
【補正の内容】
【００８９】
本発明のデータ送信方法は、移動端末と無線アクセスネットワークとの間に無線ベアラを確立する工程と、前記移動端末が、前記無線アクセスネットワークから、トランスポートチャネルにマッピングされる論理チャネルに割り当てられた優先度を示す情報と、前記論理チャネルの、複数のスケジューリングモードの１つを示す情報とを受信する工程と、受信した前記情報に基づき、前記無線ベアラを前記論理チャネルにマッピングする工程と、前記移動端末が、前記データを、前記トランスポートチャネルを介して送信する工程と、を含む。
【手続補正３】
【補正対象書類名】明細書
【補正対象項目名】０１０５
【補正方法】変更
【補正の内容】
【０１０５】
本発明の移動端末は、移動端末と無線アクセスネットワークとの間に無線ベアラを確立する処理手段と、前記無線アクセスネットワークから、トランスポートチャネルにマッピングされる論理チャネルに割り当てられた優先度を示す情報と、前記論理チャネルの、複数のスケジューリングモードの１つを示す情報とを受信する受信手段と、受信した前記情報に基づき、前記無線ベアラを前記論理チャネルにマッピングするマッピング手段と、前記データを、前記トランスポートチャネルを介して送信する送信手段と、を含む。
【手続補正４】
【補正対象書類名】明細書
【補正対象項目名】０１１５
【補正方法】変更
【補正の内容】
【０１１５】
本発明の記録媒体は、移動通信システムにおいてデータ送信を実行するための命令を格納したコンピュータ読み取り可能な記録媒体であって、前記データ送信は、移動端末と無線アクセスネットワークとの間に無線ベアラを確立し、前記移動端末が、前記無線アクセスネットワークから、トランスポートチャネルにマッピングされる論理チャネルに割り当てられた優先度を示す情報と、前記論理チャネルの、複数のスケジューリングモードの１つを示す情報とを受信し、受信した前記情報に基づき、前記無線ベアラを前記論理チャネルにマッピングし、前記移動端末が、前記データを、前記トランスポートチャネルを介して送信する、ことにより実行される。
【国際調査報告】
2007533276.tif 000019
2007533276.tif 000020